(57)【要約】【課題】意外性がありながらもユーザに則したスタンプを編集作業において選択できる写真撮影遊戯機を提供する。【解決手段】写真撮影遊戯機１は、ユーザを撮影し、複数の写真画像を生成する撮影手段と、写真画像に対する編集を受け付ける編集画面を表示する編集手段とを備える。編集手段は、複数のスタンプを選択可能な状態で編集画面に表示し、ユーザにより選択されたスタンプを、写真画像に重ねて表示するスタンプ配置手段を含む。スタンプ配置手段は、プレイ毎に可変であるプレイ毎可変スタンプ３２１ａ〜３２４ａ、３２１ｂ〜３２４ｂを、プレイ毎に決定し、ユーザを示す情報３２０ａ、３２０ｂに関連付けて、選択可能な状態で編集画面に表示する。【選択図】図２５
2019074811.tif 000002
【特許請求の範囲】
【請求項１】
ユーザの撮影、及び、撮影で得られた写真画像に対する編集を含む処理を１回のプレイで実行する写真撮影遊戯機であって、
ユーザを撮影し、複数の写真画像を生成する撮影手段と、
前記写真画像に対する編集を受け付ける編集画面を表示する編集手段とを備え、
前記編集手段は、複数のスタンプを選択可能な状態で前記編集画面に表示し、ユーザにより選択されたスタンプを、前記写真画像に重ねて表示するスタンプ配置手段を含み、
前記スタンプ配置手段は、プレイ毎に可変であるプレイ毎可変スタンプを、プレイ毎に決定し、前記ユーザを示す情報に関連付けて、選択可能な状態で前記編集画面に表示する、写真撮影遊戯機。
【請求項２】
請求項１に記載の写真撮影遊戯機であって、
前記スタンプ配置手段は、前記撮影手段で生成された写真画像において認識される顔に基づいて、前記プレイ毎可変スタンプに関連付けられるユーザを示す情報を生成する、写真撮影遊戯機。
【請求項３】
請求項２に記載の写真撮影遊戯機であって、
前記スタンプ配置手段は、前記複数の写真画像において認識された顔の部分を抽出した部分画像であって、且つ、前記複数の写真画像のうち認識された顔の数が所定の条件を満たす写真から抽出した部分画像を、前記プレイ毎可変スタンプに関連付けられるユーザを示す情報として生成する、写真撮影遊戯機。
【請求項４】
請求項１〜３のいずれか１項に記載の写真撮影遊戯機であって、
前記スタンプ配置手段は、複数のユーザを示す情報のそれぞれに互いに重複しないプレイ毎可変スタンプを関連付けて、選択可能な状態で前記編集画面に表示する、写真撮影遊戯機。
【請求項５】
請求項１〜４のいずれか１項に記載の写真撮影遊戯機であって、
前記スタンプ配置手段は、前記プレイ毎可変スタンプを、プレイ毎に、複数のグループそれぞれに紐付けて予め記録された複数のプレイ毎可変スタンプの中から決定し、各グループで決定されたプレイ毎可変スタンプを、前記ユーザを示す情報に関連付けて、選択可能な状態で前記編集画面に表示する、写真撮影遊戯機。
【請求項６】
ユーザの撮影、及び、撮影で得られた写真画像に対する編集を含む処理を１回のプレイで実行する写真撮影遊戯機のコンピュータが実行する方法であって、
ユーザを撮影し、複数の写真画像を生成する撮影工程と、
前記写真画像に対する編集を受け付ける編集画面を表示する編集工程とを有し、
前記編集工程は、複数のスタンプを選択可能な状態で前記編集画面に表示し、ユーザにより選択されたスタンプを、前記写真画像に重ねて表示するスタンプ配置工程を含み、
前記コンピュータは、前記スタンプ配置工程において、プレイ毎に可変であるプレイ毎可変スタンプを、プレイ毎に決定し、前記ユーザを示す情報に関連付けて、選択可能な状態で前記編集画面に表示する、方法。
【請求項７】
ユーザの撮影、及び、撮影で得られた写真画像に対する編集を含む処理を１回のプレイで実行する写真撮影遊戯機のコンピュータに処理を実行させるプログラムであって、
ユーザを撮影し、複数の写真画像を生成する撮影処理と、
前記写真画像に対する編集を受け付ける編集画面を表示する編集処理とを実行させ、
前記編集処理は、複数のスタンプを選択可能な状態で前記編集画面に表示し、ユーザにより選択されたスタンプを、前記写真画像に重ねて表示するスタンプ配置処理を含み、
前記スタンプ配置処理において、前記コンピュータに、プレイ毎に可変であるプレイ毎可変スタンプを、プレイ毎に決定し、前記ユーザを示す情報に関連付けて、選択可能な状態で前記編集画面に表示する処理を実行させる、プログラム。
【発明の詳細な説明】
【技術分野】
【０００１】
本発明は、写真撮影遊戯機、写真撮影遊技機の制御方法、及び、写真撮影遊技機の制御プログラムに関する。
【背景技術】
【０００２】
ユーザを撮影して得られた写真画像を編集し、編集した画像を、シール紙等に印刷したり、ユーザの携帯端末に送信したりして、ユーザに画像を提供する写真撮影遊戯機が知られている。
【０００３】
写真撮影遊戯機において写真画像を編集するための編集画面では、選択可能な複数のスタンプを含むパレットが表示される場合が多い。編集画面においてユーザが選択したスタンプは、写真画像のユーザの指定する位置に重ねて配置される。スタンプを用いた編集の形態として、種々の提案がなされている。例えば、下記特許文献１（特開２０１５−１４８６４１号公報）は、複数のスタンプ画像がグループ毎に分類されて表示される編集用パレットを開示している。この例では、所定のグループに対応する編集用パレットに対するユーザの操作に応じて、所定のグループに含まれるいずれかのスタンプが無作為に選択されて撮影画像に合成される。
【０００４】
また、下記特許文献２（特開２０１５−１８０９５８号公報）には、スタンプ画像などのツールを含むパレット領域において、予め行われる落書き判定質問の回答に応じて、例えばユーザが最も好きな色を多く配置することが開示されている。
【先行技術文献】
【特許文献】
【０００５】
【特許文献１】特開２０１５−１４８６４１号公報
【特許文献２】特開２０１５−１８０９５８号公報
【発明の概要】
【発明が解決しようとする課題】
【０００６】
発明者らは、ユーザが編集作業をより楽しめるような編集ツールを検討した。例えば、上記特許文献１のように無作為にスタンプを選択して写真画像に合成する場合、ユーザは、意外性を感じて楽しむことができる。しかし、無作為に選択されたスタンプは、ユーザの嗜好や気分に合わない可能性もある。一方、上記特許文献２のように質問に対するユーザの回答に基づいてスタンプをパレット領域に表示することで、ユーザの嗜好や気分に合ったスタンプをパレットに表示することができる。しかし、この場合、ユーザが質問に回答する必要があり、ユーザの入力作業の負担が増えてしまう。
【０００７】
そこで、本発明は、ユーザの入力作業を増やさなくても、意外性がありながらもユーザに則したスタンプを編集作業において選択できる写真撮影遊戯機を提供することを目的とする。
【課題を解決するための手段】
【０００８】
発明者らは、編集において選択可能なスタンプをプレイ毎に決定する態様をさらに検討した。この態様では、ユーザが、今回のプレイではどんなスタンプがでるのかを楽しみにする傾向があることがわかった。さらに検討を重ねたところ、例えば、プレイ毎に選択可能なスタンプを無作為に決定した場合であっても、決定したスタンプをユーザの情報と関連づけて表示することで、ユーザは、スタンプに親近感を抱く傾向にあることを見出した。これらの知見に基づき、次のような構成の写真撮影遊戯機に想到した。
【０００９】
（構成１）
本発明の実施形態の構成１における写真撮影遊戯機は、ユーザの撮影、及び、撮影で得られた写真画像に対する編集を含む処理を１回のプレイで実行する写真撮影遊戯機であって、ユーザを撮影し、複数の写真画像を生成する撮影手段と、前記写真画像に対する編集を受け付ける編集画面を表示する編集手段とを備える。前記編集手段は、複数のスタンプを選択可能な状態で前記編集画面に表示し、ユーザにより選択されたスタンプを、前記写真画像に重ねて表示するスタンプ配置手段を含む。前記スタンプ配置手段は、プレイ毎に可変であるプレイ毎可変スタンプを、プレイ毎に決定し、前記ユーザを示す情報に関連付けて、選択可能な状態で前記編集画面に表示する。
【００１０】
上記構成１によれば、プレイ毎に編集で選択可能なスタンプが変わるので、ユーザは、編集作業において、意外性や期待感を持ちやすくなる。また、プレイ毎に決定されるプレイ毎可変スタンプが、ユーザを示す情報に関連付けて表示されることにより、ユーザは、プレイ毎可変スタンプに親近感を抱きやすくなる。その結果、ユーザの入力作業を増やさなくても、意外性がありながらもユーザに則したスタンプを編集作業において選択できるようになる。なお、本発明は、プレイ毎のプレイ毎可変スタンプの決定にユーザの入力情報を用いる形態を除外するものではない。
【００１１】
（構成２）
上記構成１において、前記スタンプ配置手段は、前記撮影手段で生成された写真画像において認識される顔に基づいて、前記プレイ毎可変スタンプに関連付けられるユーザを示す情報を生成してもよい。これにより、ユーザを示す情報を自動的に生成することができる。
【００１２】
また、上記構成２において、前記スタンプ配置手段は、ユーザを示す情報として、前記写真画像において認識された顔の部分を抽出した部分画像を、前記プレイ毎可変スタンプに関連付けて表示してもよい。これにより、例えば、プレイ毎可変スタンプが、ユーザのプロフィールを示すような表現をすることができる。その結果、ユーザが、プレイ毎可変スタンプにより親近感を抱きやすくなる。
【００１３】
（構成３）
上記構成２において、前記スタンプ配置手段は、前記複数の写真画像において認識された顔の部分を抽出した部分画像であって、且つ、前記複数の写真画像のうち認識された顔の数が所定の条件を満たす写真から抽出した部分画像を、前記プレイ毎可変スタンプに関連付けられるユーザを示す情報として生成してもよい。これにより、顔認識の失敗により、プレイ毎可変スタンプに関連づけられるユーザの顔が表示されないといった事態が発生しにくくなる。上記の所定の条件を満たす写真は、例えば、複数の写真画像のうち認識された顔の数が閾値より多い写真又は、複数の写真画像のうち認識された顔の数が最も多い写真とすることができる。
【００１４】
（構成４）
上記構成１〜３のいずれかにおいて、前記スタンプ配置手段は、複数のユーザを示す情報のそれぞれに、互いに重複しないプレイ毎可変スタンプを関連付けて、選択可能な状態で前記編集画面に表示してもよい。すなわち、前記スタンプ配置手段は、複数のユーザそれぞれに関連付けられるプレイ毎可変スタンプを、互いに重複しないように決定してもよい。これにより、複数のユーザそれぞれに互いに異なる固有のプレイ毎可変スタンプを表示することができる。そのため、複数のユーザがプレイする場合も、複数の同じスタンプが重複して選択可能に表示されるのを防ぐことができる。その結果、無駄を無くして効率よくスタンプ群を表示できる。
【００１５】
（構成５）
上記構成１〜４のいずれかにおいて、前記スタンプ配置手段は、前記プレイ毎可変スタンプを、プレイ毎に、複数のグループそれぞれに紐付けて予め記録された複数のプレイ毎可変スタンプの中から決定し、各グループで決定されたプレイ毎可変スタンプを、前記ユーザを示す情報に関連付けて、選択可能な状態で前記編集画面に表示してもよい。これにより、プレイ毎に、各グループから抽出されたプレイ毎可変スタンプ群を様々に組み合わせたプレイ毎可変スタンプ群を決定して表示することができる。その結果、プレイ毎可変スタンプ群がグループによって整理され、且つバリエーションが豊富になる。
【００１６】
前記スタンプ配置手段は、前記編集画面に表示するプレイ毎可変スタンプを、ユーザの入力情報又は入力操作に関係なく決定してもよい。これにより、ユーザの入力作業の負担を増やさずに、意外性がありながらもユーザに則したスタンプを編集作業において選択できるようになる。
【００１７】
前記スタンプ配置手段は、前記ユーザを示す情報と、前記プレイ毎可変スタンプとを、同じパレットに同時に視認可能に表示することで、前記プレイ毎可変スタンプとユーザを示す情報を関連付けて表示することができる。例えば、ユーザを示す情報として前記写真画像から抽出されたユーザの顔を含む部分画像と、このユーザに関連付けるプレイ毎可変スタンプを同じパレットに表示することができる。
【００１８】
前記プレイ毎可変スタンプは、ユーザの個性又は状態に関する内容を示す文字、絵、図、又は模様を含んでもよい。ユーザの個性は、例えば、ユーザの性格、性質、性癖、容姿、身体的特徴、本質、思想、好み、関心、趣味、雰囲気、行動、又は、傾向等が含まれる。ユーザの状態は、例えば、ユーザの精神状態、健康状態、かかえている悩み、恋愛状態、又は、運勢等が含まれる。
【００１９】
上記写真撮影遊戯機のコンピュータが上記の各手段を実現するために実行する方法、及び当該コンピュータに上記各手段を実現するための処理を実行させるプログラムも、本発明の実施形態に含まれる。この上記方法は、ユーザの撮影、及び、撮影で得られた写真画像に対する編集を含む処理を１回のプレイで実行する写真撮影遊戯機のコンピュータが実行する方法であって、ユーザを撮影し、複数の写真画像を生成する撮影工程と、前記写真画像に対する編集を受け付ける編集画面を表示する編集工程とを有する。前記編集工程は、複数のスタンプを選択可能な状態で前記編集画面に表示し、ユーザにより選択されたスタンプを、前記写真画像に重ねて表示するスタンプ配置工程を含む。前記コンピュータは、前記スタンプ配置工程において、プレイ毎に可変であるプレイ毎可変スタンプを、プレイ毎に決定し、前記ユーザを示す情報に関連付けて、選択可能な状態で前記編集画面に表示する。また、上記プログラムは、ユーザを撮影し、複数の写真画像を生成する撮影処理と、前記写真画像に対する編集を受け付ける編集画面を表示する編集処理とを実行させる。前記編集処理は、複数のスタンプを選択可能な状態で前記編集画面に表示し、ユーザにより選択されたスタンプを、前記写真画像に重ねて表示するスタンプ配置処理を含む。前記プログラムは、前記スタンプ配置処理において、前記コンピュータに、プレイ毎に可変であるプレイ毎可変スタンプを、プレイ毎に決定し、前記ユーザを示す情報に関連付けて、選択可能な状態で前記編集画面に表示する処理を実行させる。
【図面の簡単な説明】
【００２０】
【図１】実施形態における写真撮影遊戯機のネットワーク構成を示す図である。
【図２】図１に示す写真撮影遊戯機の外観を表す斜視図である。
【図３】図２に示す正面筐体の斜視図である。
【図４Ａ】図２に示す背面筐体の斜視図である。
【図４Ｂ】図４Ａに示す背面筐体を斜め下方向から見た図である。
【図５】実施形態における編集ブースの編集ユニット及び事後接客部の斜視図である。
【図６】図１に示す写真撮影遊戯機の構成例を示す機能ブロック図である。
【図７】図１に示す写真撮影遊戯機の全体動作例を示すフロー図である。
【図８】図７に示す事前接客処理の動作フロー例を示す図である。
【図９】図８のＳ１１７のスペシャル撮影選択処理の詳細を示すフローチャートである。
【図１０】図９のＳ１２５で表示される画面例を示す図である。
【図１１】図９のＳ１２６で表示される画面例を示す図である。
【図１２】撮影処理の動作フロー例を示す図である。
【図１３】アップ用の立ち位置誘導画面の例を示す図である。
【図１４】第１レクチャー動画の１フレームの例を示す図である。
【図１５】ライブビュー表示時の画面の例を示す図である。
【図１６】撮影時における静止画２５２の切り替え例を示す図である。
【図１７】複数のユーザで一緒に似顔絵撮影をする場合の画面の例を示す図である。
【図１８】複数のユーザで別々に似顔絵撮影をする場合の画面の例を示す図である。
【図１９】似顔絵撮影におけるプレビュー表示の画面例を示す図である。
【図２０】画像編集処理の動作例を示すフロー図である。
【図２１】複数ユーザを一緒に撮影した場合の名前確認画面の例を示す図である。
【図２２】複数ユーザを別々に撮影した場合の名前確認画面の例を示す図である。
【図２３】ふわ度選択画面の例を示す図である。
【図２４】落書き編集画面の例を示す図である。
【図２５】編集ツール表示領域３０２Ｌにおけるプレイ毎可変スタンプの表示例を示す図である。
【図２６】編集ツール表示領域３０２Ｌにおけるプレイ毎可変スタンプの表示例を示す図である。
【図２７】プレイ毎可変スタンプの決定処理の例を説明するための図である。
【図２８】２人プレイ用のシートレイアウト選択画面の一例を示す図である。
【発明を実施するための形態】
【００２１】
以下、本発明の実施形態について図面を参照しつつ説明する。図中同一及び相当する構成については、同一の符号を付して同じ説明を繰り返さない。
【００２２】
＜＜１．ネットワーク構成＞＞
図１は、本実施形態における写真撮影遊戯機のネットワーク構成を示すブロック図である。図１に示すように、写真撮影遊戯機１は、インターネット等のネットワークを介して、外部のサーバＳＶと通信可能に構成され、サーバＳＶは、インターネット等のネットワークを介して携帯端末ＣＬと通信可能に構成されている。
【００２３】
携帯端末ＣＬは、写真撮影遊戯機１のユーザによって保有される、例えば、フィーチャーフォンやスマートフォンを含む携帯電話機や、タブレット端末等を含む。
【００２４】
本実施形態では、写真撮影遊戯機１でユーザがプレイすることにより写真撮影遊戯機１で作成されたコンテンツを写真撮影遊戯機１からサーバＳＶに送信し、サーバＳＶを介して、そのユーザの携帯端末ＣＬにコンテンツを提供する。サーバＳＶを介してユーザに提供されるコンテンツは、プレイによって得られた１又は複数の写真画像又は合成画像のデータや、写真画像又は合成画像のデータを用いて作成された動画コンテンツ等である。
【００２５】
＜＜２．写真撮影遊戯機の構成＞＞
＜２．１．全体構成＞
図２は、本実施形態に係る写真撮影遊戯機の外観を表す斜視図である。写真撮影遊戯機１は、撮影ブース２と、事前接客部３と、編集ブース４と、事後接客部５（図５参照）と、を備えている。
【００２６】
＜２．２．撮影ブースの構成＞
撮影ブース２は、図２に示すように、正面筐体２０Ａ及び背面筐体２０Ｂによって区画された空間である。撮影ブース２内では、被写体であるユーザの写真撮影が行われる。なお、説明の便宜上、正面筐体２０Ａ側を前、背面筐体２０Ｂ側を後ろといい、正面筐体２０Ａに向かって右を単に右、正面筐体２０Ａに向かって左を単に左という。図２に示すように、正面筐体２０Ａと背面筐体２０Ｂとは前後方向に間を空けて配置されており、ユーザは、正面筐体２０Ａと背面筐体２０Ｂとの間を通って撮影ブース２に出入りする。
【００２７】
図３は、正面筐体２０Ａを表す斜視図である。図３に示すように、正面筐体２０Ａの内側には、撮影ユニット２０が設けられている。撮影ユニット２０は、カメラ２１と、正面ディスプレイ２２と、照明装置２３（２３ａ、２３ｂ）と、後述するスピーカ４５０（図６参照）と、を備えている。
【００２８】
カメラ２１は、正面筐体２０Ａの内側前面の幅方向（Ｘ軸方向）中央付近に配置されている。カメラ２１は、撮影ブース２内のユーザ（被写体）を撮影し、所定のタイミングで静止画像として記録する。
【００２９】
正面ディスプレイ２２は、カメラ２１の下方に配置されている。正面ディスプレイ２２は、カメラ２１によって撮影されたユーザの映像を左右反転させ、リアルタイムにライブ表示する。また、正面ディスプレイ２２上にはタッチパネルが配置されており、タッチパネルを介して、ユーザによる入力操作が受け付けられる。ユーザによる入力操作は、ユーザが正面ディスプレイ２２にタッチペン（図示略）又は指で直接タッチすることによって受け付けられる。
【００３０】
図３に示すように、上方照明装置の一例である照明装置２３ａは、カメラ２１の上方に配置され、内部にストロボ光源（図示略）を備えるとともに、ストロボ光源（図示略）を覆うドーム形状のカバーを備える。
【００３１】
また、図３に示すように、下方照明装置の一例である照明装置２３ｂは、カメラ２１の下方であって、正面ディスプレイ２２の下側に配置されている。照明装置２３ｂは、内部にストロボ光源（図示略）を備え、ストロボ光源を覆う矩形形状のカバーを備える。
【００３２】
照明装置２３ａ、２３ｂにおける各ストロボ光源（図示略）は、カメラ２１がユーザのライブ映像を静止画として記録する瞬間に発光し、発光面を介して撮影ブース２内のユーザに光を照射する。照明装置２３ａは、主に、被写体の顔を照らすために用いられ、照明装置２３ｂは、主に、被写体の顔より下側の部分を照らすために用いられる。このように、カメラ２１を挟んで上下に照明装置２３ａと照明装置２３ｂが設けられることで、それぞれの照明光が被写体の目に映るアイキャッチ効果が得られる。また、照明装置２３ｂは、照明装置２３ａの照射による被写体に生じる影を除去するとともに、影が出来やすい被写体の足元を照らし、クロマキー処理の精度を向上させるために用いられる。
【００３３】
図４Ａは、背面筐体２０Ｂを表す斜視図であり、図４Ｂは、図４Ａに示す背面筐体２０Ｂを下方向（Ｚ軸負方向）から見た模式図である。
【００３４】
図４Ａ及び図４Ｂに示すように、背面筐体２０Ｂにおいて、正面筐体２０Ａと向かい合う内側の面には、背面パネル２４が設けられている。背面パネル２４は、クロマキー合成用のパネルであってもよいし、クロマキー合成用のカーテンを備えていてもよい。背面筐体２０Ｂの床面には、クロマキー合成用の床マットや床板等の床部材（図示略）が設けられる。床部材の色は、背面パネル２４の色と同じであり、例えば黄緑色等とされる。
【００３５】
また、図４Ｂに示すように、撮影ブース２の内側において、背面筐体２０Ｂの天井、背面、及び左右側面には、それぞれ、ストロボ光源を備える照明装置２５（２５ａ、２５ｂ、２５ｃ、２５ｄ）が設けられている。各ストロボ光源（図示略）は、カメラ２１がユーザのライブ映像を静止画として記録する瞬間に発光し、発光面を介して撮影ブース２内のユーザに光を照射する。
【００３６】
＜２．３．事前接客部の構成＞
事前接客部３は、図２及び図３に示すように、撮影ブース２の外に設けられており、受付装置３０を備える。受付装置３０は、正面筐体２０Ａの左側の側面に配置されている。ただし、受付装置３０は、正面筐体２０Ａの右側の側面に設けられていてもよいし、正面筐体２０Ａの左右両方の側面に設けられていてもよい。
【００３７】
受付装置３０は、受付用ディスプレイ３１と、コイン投入口３２と、スピーカ３３と、を備えている。
【００３８】
受付用ディスプレイ３１は、ユーザがプレイに関する各種設定を入力するための画面等を表示する。受付用ディスプレイ３１上にはタッチパネルが配置されており、タッチパネルを介して、ユーザによる入力操作が受け付けられる。ユーザによる入力操作は、ユーザが受付用ディスプレイ３１にタッチペン（図示略）又は指で直接タッチすることによって受け付けられる。コイン投入口３２には、ユーザによってコインが投入される。スピーカ３３は、プレイ案内の音声やＢＧＭ等の音を出力する。
【００３９】
＜２．４．編集ブースの構成＞
編集ブース４は、図２及び図５に示すように、正面筐体２０Ａの前方に設けられており、編集ユニット４０を備えている。編集ユニット４０は、２つの画像編集装置４１と、各画像編集装置４１を支持する編集筐体４３とを備えている。
【００４０】
２つの画像編集装置４１は、左右対称となるよう背中合わせに配置されている。図５では、２つの画像編集装置４１のうち、左側に配置された画像編集装置４１のみが示されている。各画像編集装置４１は、編集用ディスプレイ４１１と、２本のタッチペン４１２と、後述するスピーカ４１３（図６参照）と、非接触通信装置９７（図６参照）を備えている。
【００４１】
編集用ディスプレイ４１１には、ユーザに画像編集を行わせるために、撮影ブース２での撮影によって生成された写真画像が表示される。編集用ディスプレイ４１１上にはタッチパネルが配置されており、タッチパネルを介して、写真画像に対するユーザによる編集操作が受け付けられる。
【００４２】
２本のタッチペン４１２は、編集用ディスプレイ４１１の両側に配置されている。ユーザによる編集操作は、ユーザが各タッチペン４１２で編集用ディスプレイ４１１にタッチすることによって受け付けられる。ただし、ユーザによる編集操作は、ユーザが編集用ディスプレイ４１１に指で直接タッチすることによって受け付けられてもよい。
【００４３】
スピーカ４１３（図６参照）は、プレイ案内の音声やＢＧＭ等の音を出力する。非接触通信装置９７（図６参照）は、画像の取得に必要な情報等をユーザの端末装置に送信する際に用いられる。
【００４４】
＜２．５．事後接客部の構成＞
事後接客部５は、図５に示すように、編集ユニット４０側面に設けられており、受付装置５０を備えている。
【００４５】
受付装置５０は、受付用ディスプレイ５１と、写真シール排出口５２と、スピーカ５３と、を備えている。
【００４６】
受付用ディスプレイ５１は、携帯端末ＣＬで画像を取得するためのメールアドレスを入力したり、携帯端末ＣＬに送信する画像を選択したりするための画面等を表示する。受付用ディスプレイ５１上にはタッチパネルが配置されており、タッチパネルを介して、ユーザによる入力操作が受け付けられる。ユーザによる入力操作は、指で直接タッチすることによって受け付けられるが、タッチペンによってタッチすることによって受け付けられてもよい。写真シール排出口５２は、受付装置５０に設けられており、編集筐体４３内に備わるプリンタ６０（図６参照）で印刷された写真シールが排出される。スピーカ５３は、プレイ案内の音声やＢＧＭ等の音を出力する。なお、事後接客部５における受付用ディスプレイ５１及びスピーカ５３を省略することもできる。
【００４７】
＜２．６．写真撮影遊戯機の機能構成＞
次に、写真撮影遊戯機１の機能構成について、図６を参照しつつ説明する。
【００４８】
＜２．６．１．制御装置の構成＞
図６に示すように、写真撮影遊戯機１は、制御装置１００を備えている。制御装置１００は、コンピュータ装置１０１と、制御基板１０２と、クロマキーキャプチャボード１７と、を備えている。
【００４９】
コンピュータ装置１０１は、撮影ユニット２０、受付装置３０、編集ユニット４０の各画像編集装置４１、受付装置５０、及びプリンタ６０と接続されている。コンピュータ装置１０１は、制御基板１０２を介して、発光制御部１１０、蛍光灯１４、コイン制御部１１２、及びサービスパネル１１３と接続されている。
【００５０】
コンピュータ装置１０１は、Ｃｅｎｔｒａｌ  Ｐｒｏｃｅｓｓｉｎｇ  Ｕｎｉｔ（ＣＰＵ）１０３と、ハードディスク（ＨＤＤ）１０４と、メモリ１０５と、通信部１０６と、を備えている。ハードディスク（ＨＤＤ）１０４及びメモリ１０５は、写真撮影遊戯機１が備える記憶手段の一例である。
【００５１】
ＣＰＵ１０３は、ＨＤＤ１０４に記憶されている制御プログラムを実行することにより、後述する写真撮影遊戯機１の各機能を実現する。
【００５２】
ＨＤＤ１０４は、ＣＰＵ１０３によって実行される制御プログラム、及び各処理に必要なデータを記憶する。例えば、グラフィックデータ、音声データ、生成された写真画像に合成する合成用画像データ、生成された写真画像の編集に利用される編集用画像データ、プレイ中に再生する動画データ、予め用意されたプレイ案内のナレーションの情報、予め用意された撮影コースを示す情報、予め用意されたシートレイアウト、予め用意された動画用テンプレート等の各種設定データがＨＤＤ１０４に記憶される。
【００５３】
メモリ１０５は、コンピュータ装置１０１のメインメモリであり、ＣＰＵ１０３が制御プログラムを実行する際の一時的な作業領域である。通信部１０６は、ネットワークを介してサーバＳＶ（図１参照）及び非接触通信装置９７との通信を行う。
【００５４】
制御基板（デジタル入出力ボード（ＤＩＯ））１０２は、コンピュータ装置１０１と接続され、コンピュータ装置１０１との間で信号の入出力を行う。また、制御基板１０２は、コイン制御部１１２、発光制御部１１０、蛍光灯１４、及びサービスパネル１１３とも接続されており、これらとの間で信号の入出力を行う。
【００５５】
写真撮影遊戯機における撮影手段、編集手段、スタンプ配置手段、補正手段、合成用画像手段、及び加工手段等の各手段の機能は、コンピュータ装置１０１によって実現することができる。例えば、ＣＰＵ１０３が、プログラムを実行することで、各手段における処理が実行される。なお、上記各手段の処理は、複数のプロセッサによって実行されてもよい。例えば、ディスプレイ５１、２２、４１１に内蔵されたプロセッサによって、上記各手段の一部の処理が実行されてもよい。
【００５６】
＜２．６．２．事前接客処理時に動作する機能＞
ＣＰＵ１０３は、ＨＤＤ１０４に記憶された制御プログラムを実行することにより、事前接客処理において予め定められた情報を受付用ディスプレイ３１に表示し、事前接客処理において予め定められた音声をスピーカ３３から出力させる。受付用ディスプレイ３１の表示、スピーカ３３から出力する音声、及び、ユーザの操作及び行動によって、事前接客処理におけるプレイが進行する。
【００５７】
＜２．６．３．撮影処理時に動作する機能＞
ＣＰＵ１０３は、ＨＤＤ１０４に記憶された制御プログラムを実行することにより、撮影処理において予め定められた情報を正面ディスプレイ２２に表示し、撮影処理において予め定められた音声をスピーカ４５０から出力させる。正面ディスプレイ２２の表示、スピーカ４５０から出力する音声、及び、ユーザの操作及び行動によって、撮影処理におけるプレイが進行する。
【００５８】
ＣＰＵ１０３は、ＨＤＤ１０４に記憶された制御プログラムを実行することにより、発光制御部１１０によって照明装置２３、２５を制御する。発光制御部１１０は、例えば、照明装置２３、２５の発光タイミングや発光量を制御する。
【００５９】
クロマキーキャプチャボード１７は、撮影ユニット２０及びコンピュータ装置１０１と接続されている。クロマキーキャプチャボード１７は、カメラ２１が撮影しているライブ映像を所定の間隔（例えば３０フレーム／秒）で静止画データとして取り込む。クロマキーキャプチャボード１７は、各静止画データから被写体であるユーザの領域を抽出し、コンピュータ装置１０１に転送する。
【００６０】
＜２．６．４．画像編集処理時に動作する機能＞
ＣＰＵ１０３は、ＨＤＤ１０４に記憶された制御プログラムを実行することにより、画像編集処理において予め定められた情報を編集用ディスプレイ４１１に表示し、画像編集処理において予め定められた音声をスピーカ４１３から出力させる。編集用ディスプレイ４１１の表示、スピーカ４１３から出力する音声、及び、ユーザの操作及び行動によって、撮影処理におけるプレイが進行する。
【００６１】
コンピュータ装置１０１は、プリンタ６０と接続されている。ＣＰＵ１０３は、ＨＤＤ１０４に記憶された制御プログラムを実行することにより、プリンタ６０に印刷処理を行わせる。
【００６２】
＜２．６．５．事後接客処理時に動作する機能＞
ＣＰＵ１０３は、ＨＤＤ１０４に記憶された制御プログラムを実行することにより、事後接客処理において予め定められた情報を受付用ディスプレイ５１に表示し、事後接客処理において予め定められた音声をスピーカ５３から出力させる。受付用ディスプレイ５１の表示、スピーカ５３から出力する音声、及び、ユーザの操作及び行動によって、撮影処理におけるプレイが進行する。
【００６３】
＜＜３．写真撮影遊戯機の動作＞＞
次に、写真撮影遊戯機１の動作について説明する。以下で説明する各処理は、図６に示すＣＰＵ１０３が制御プログラムを実行することにより行う。
【００６４】
図７は、写真撮影遊戯機１の全体動作を示すフロー図である。写真撮影遊戯機１は、まず、プレイの開始を受け付けるための事前接客処理を行う（ステップＳ１０）。次に、写真撮影遊戯機１は、事前接客処理で受け付けたプレイごとに撮影処理を行う（ステップＳ２０）。その後、写真撮影遊戯機１は、撮影処理で生成された写真画像に対する編集処理を行う（ステップＳ３０）。最後に、写真撮影遊戯機１は、画像編集処理後の写真画像について事後接客処理を行う（ステップＳ４０）。これにより、写真撮影遊戯機１は、ユーザの撮影、撮影で得られた写真画像に対する編集、及び編集を施した画像の提供を含む処理を、１回のプレイで実行する。以下、各処理について詳述する。
【００６５】
＜３．１．事前接客処理＞
まず、事前接客処理（ステップＳ１０）について説明する。図８は、事前接客処理のフロー図である。
【００６６】
ＣＰＵ１０３は、ユーザによるプレイ開始の操作を受け付ける間、受付用ディスプレイ３１に、プレイのデモンストレーション映像等を含むプレイ受付画面を表示する（ステップＳ１１１）。この時、ＣＰＵ１０２は、受付画面に応じたＢＧＭや、プレイ受付画面用のナレーション等をスピーカ３３から出力させてもよい。
【００６７】
このプレイ受付画面のナレーションは、後の撮影工程で再生される動画で撮影のアドバイスをする人物又はキャラクタの音声又は動画で行うことができる。これにより、ユーザの人物又はキャラクタの音声への興味を掻き立てることができる。或いは、プレイ受付画面のナレーションは、上記人物又はキャラクタ以外の音声又は動画により行われてもよい。
【００６８】
ＣＰＵ１０３は、ユーザによるプレイ開始の操作を検出すると、プレイを開始する（ステップＳ１１２でＹＥＳ）。例えば、ユーザによる１プレイ分のコインの投入口３２への投入が、プレイ開始の操作として検出される。コイン投入口３２に１コインが投入されると、コイン制御部１１２（図６参照）により、コインが投入されたことを示す情報が制御基板１０２を介してコンピュータ装置１０１に出力される。ＣＰＵ１０３は、コイン制御部１１２からの情報ごとにコインカウントを１つインクリメントする。ＣＰＵ１０３は、コインカウントが１プレイ分に達すると、１プレイ分のコインが受け付けられたと判断し（ステップＳ１１２：ＹＥＳ）、プレイを開始し、ステップＳ１１３以下の処理を行う。このように、写真撮影遊戯機１の１回のプレイは、コインの投入を契機に開始される。
【００６９】
ＣＰＵ１０３は、ユーザからプレイ人数の選択を受け付ける（ステップＳ１１３）。すなわち、ＣＰＵ１０３は、プレイ人数を選択させるプレイ人数選択手段として機能する。例えば、ＣＰＵ１０３は、撮影人数が、「２人」、「３人以上（グループ）」のいずれかを選択するための選択画面（図示略）を受付用ディスプレイ３１に表示させ、撮影人数の選択を受け付ける。なお、この例では、「２人」、「３人以上」のいずれかをユーザに選択させる例であるが、例えば、撮影人数として、２人かそれ以外をユーザに選択させてもよい。
【００７０】
ＣＰＵ１０３は、ユーザから撮影アングルの選択を受け付ける（ステップＳ１１４）。例えば、ＣＰＵ１０３は、複数の写真画像のための複数回（複数ショット）の撮影における撮影アングルの組み合わせを、ユーザが選択可能な状態で表示することができる。Ｓ１１４では、後述するスペシャル撮影とは区別される通常撮影におけるアングルが選択される。なお、ＣＰＵ１０３は、複数の写真画像の撮影アングルを、例えば、Ｓ１１３でユーザが選択したプレイ人数により自動的に決定してもよい。この場合、Ｓ１１４のユーザによるアングルの選択の受け付け処理は省略できる。なお、撮影アングルの他、複数の写真画像それぞれの撮影条件（ズーム、カメラの位置、カメラとユーザとの相対位置等）の選択をユーザから受け付けてもよい。或いは、撮影アングルの他の撮影条件を、選択されたアングル又は人数等に応じて自動的に決定してもよい。
【００７１】
撮影のアングルとして、例えば、「アップ」、「上から全身」及び「正面全身」が挙げられる。アングルが「アップ」の撮影は、カメラ２１の鉛直方向の角度及び焦点距離を「アップ」に応じた所定の角度及び焦点距離に制御して、ユーザの顔及び上半身の一部を撮影する。アングルが「上から全身」の撮影は、カメラ２１の鉛直方向の角度及び焦点距離を「上から全身」に応じた所定の角度及び焦点距離に制御して、ユーザの全身を撮影する。「上から全身」の撮影では、ユーザの斜め上方向から撮影したような画像が得られる。また、アングルが「正面全身」の撮影は、カメラ２１の鉛直方向の角度及び焦点距離を「正面全身」に応じた所定の角度に制御して、ユーザの全身を撮影する。「正面全身」の撮影では、ユーザの正面方向から撮影したような画像が得られる。
【００７２】
ＣＰＵ１０３は、名前入力画面を表示し、ユーザの入力を受け付ける（ステップＳ１１５）。例えば、ＣＰＵ１０３は、撮影人数が「２人」の場合には、ユーザごとの名前の入力を受け付けるための名前入力画面（図示略）を受付用ディスプレイ３１に表示させる。撮影人数が「３人以上」の場合には、ユーザごとの名前ではなく、グループ名の入力を受け付けるための入力画面を表示してもよい。ここで入力された名前又はグループ名は、例えば、後述する画像編集処理の落書き処理で用いる編集素材、又は、編集画面で表示されるユーザを示す情報として利用することができる。
【００７３】
ＣＰＵ１０３は、合成画像に用いる合成用画像の選択を、受付用ディスプレイ３１を介して受け付ける（ステップＳ１１６）。ＣＰＵ１０３は、受付用ディスプレイ３１を制御することにより、合成用画像選択手段として機能する。本例では、ＣＰＵ１０３は、合成用画像選択画面を受付用ディスプレイ３１に表示させる。写真撮影遊戯機１は、ユーザからの合成用画像の選択を合成用画像選択画面で受け付けることができる。合成用画像は、例えば、背景である。Ｓ１１６では、例えば、後述するスペシャル撮影とは区別される通常撮影で得られる写真画像に対する合成用画像セットが選択される。例えば、通常撮影がＮ回（Ｎショット）行われて、Ｎ枚の写真画像（通常写真画像）が生成される。この場合、１つの合成用画像セットには、Ｎ枚の通常写真画像に対応するＮ個の合成用画像が含まれることになる。なお、合成用画像選択画面では、Ｎ枚の通常写真画像それぞれに対応する合成用画像を個別に選択可能としてもよい。
【００７４】
ＣＰＵ１０３は、スペシャル撮影の選択を受け付ける（ステップＳ１１７）。スペシャル撮影は、他の複数回の通常撮影と区別して行われる撮影である。スペシャル撮影で得られる写真画像に対する加工、又は装飾の形態が、通常撮影で得られる写真画像に対する加工又は装飾の形態とは異なる。これにより、例えば、スペシャル撮影で得られた写真画像を基に得られる合成画像のデザイン又は仕上がりは、通常撮影で得られた写真画像を基に得られる合成画像のデザイン又は仕上がりとは異なるものとなる。また、本実施形態では、スペシャル撮影で得られる写真画像は、編集手段の編集対象とはならない。Ｓ１１７では、スペシャル撮影の形態として、撮影形態及び写真画像に対する装飾形態が選択される。撮影形態は、例えば、１つの写真に入る被写体の人数である。装飾形態は、例えば、スペシャル撮影で得られた写真画像に合成する合成画像のデザイン、写真画像に対する加工の種類等である。
【００７５】
図９は、図８のＳ１１７におけるスペシャル撮影選択処理の詳細を示すフローチャートである。図９に示す例では、Ｓ１１３で選択されたプレイ人数が２人である場合は、ＣＰＵ１０３は、ガイダンス画面を表示する（ステップＳ１２２）。ガイダンス画面は、スペシャル撮影の選択をすることをユーザに案内する画面である。ＣＰＵ１０３は、ガイダンス画面に続き、スペシャル撮影の種類をユーザが選択する画面を表示する（ステップＳ１２３）。Ｓ１２３では、スペシャル撮影の種類の例として、モテグラフィック（似顔絵撮影）（以下、「似顔絵撮影」と称する）、又はモテショット（特別撮影）（以下、「特別撮影」と称する）の選択を受け付ける。
【００７６】
「似顔絵撮影」は、ユーザの似顔絵を含む合成画像を得るための撮影である。似顔絵撮影で撮影された写真画像に対する加工処理（詳細は後述）が、通常撮影で撮影された写真画像の加工処理と異なる。似顔絵撮影で得られた画像を加工して得られるユーザの似顔絵の画像に、背景及び前景の少なくともいずれかの合成用画像が合成されたものが、最終的にユーザに提供される合成画像となる。
【００７７】
「特別撮影」は、予めデザインされた背景画像の予め決められた位置に配置するためのユーザの画像を得るための撮影である。特別撮影で得られたユーザの画像が最終的にユーザに提供される合成画像において配置される位置が、通常撮影で得られたユーザの画像が最終的にユーザに提供される合成画像において配置される位置と異なる。特別撮影を、背景画像の予め決められた位置に配置して合成したものが、最終的にユーザに提供される合成画像となる。この最終的な合成画像には、背景画像の他、前景画像が合成されていてもよい。また、この最終的な合成画像は、フィルタ処理等の画像処理が施されたものであってもよい。
【００７８】
Ｓ１２３で、「似顔絵撮影」が選択された場合、ＣＰＵ１０３は、似顔絵撮影における撮影形態の選択をユーザから受け付ける画面を表示する（ステップＳ１２４）。Ｓ１２４では、１枚の写真画像に２人のユーザが「一緒」に写るよう撮影するか、２枚の写真画像に２人のユーザがそれぞれ「別々」に写るよう撮影するかを、ユーザが選択可能になる。Ｓ１２４では、１つの写真に入るユーザの人数が選択されることになる。Ｓ１２３で、「特別撮影」が選択された場合、ＣＰＵ１０３は、特別撮影における撮影形態の選択をユーザから受け付ける画面を表示する（ステップＳ１２７）。Ｓ１２７でも、１枚の写真画像に２人のユーザが「一緒」に写るよう撮影するか、２枚の写真画像に２人のユーザがそれぞれ「別々」に写るよう撮影するかを、ユーザが選択可能になる。
【００７９】
Ｓ１２４で、撮影形態として「別々」に撮影することが選択された場合、ＣＰＵ１０３は、似顔絵撮影で複数のユーザを別々に撮影した場合の合成画像のデザインの選択を受け付ける画面を表示する（ステップＳ１２５）。図１０は、Ｓ１２５で表示される画面例を示す図である。図１０に示す画面は、２人のユーザがそれぞれデザインを選択するための２つの領域２１０Ａ、２１０Ｂを含む。２つの領域２１０Ａ、２０１Ｂのそれぞれにおいて、似顔絵撮影でユーザを別々に撮影した写真画像を基に生成される合成画像の見本すなわちサンプル画像Ｓ１〜Ｓ４が複数、選択可能な状態で表示される。また、複数のサンプル画像Ｓ１〜Ｓ４のうち、現在選択されているサンプル画像Ｓ１が拡大されて表示される。また、現在の選択を確定するためのＯＫボタン２０１が表示される。
【００８０】
図１０に例示するように、似顔絵撮影でユーザを別々に撮影した写真画像を基に生成される合成画像のサンプル画像Ｓ１〜Ｓ４は、写真画像に写る１人のユーザ（モデル）の部分を画像処理して生成されるイラスト画像ＩＭ１に、合成用画像Ｂ１、Ｚ１，Ｚ２が合成されて生成されるものであってもよい。合成用画像には、例えば、背景画像Ｂ１と、前景画像Ｚ１、Ｚ２が含まれる。また、合成用画像には、写真画像において画像認識される人物に基づく位置に配置される素材画像Ｚ２、又は、画像認識される人物に基づく位置に関係なく、予め決められた位置に配置される画像Ｚ１が含まれてもよい。
【００８１】
図９のＳ１２４で、撮影形態として「一緒」に撮影することが選択された場合、ＣＰＵ１０３は、似顔絵撮影で複数のユーザを一緒に撮影した場合の合成画像のデザインの選択を受け付ける画面を表示する（ステップＳ１２６）。図１１は、Ｓ１２６で表示される画面例を示す図である。図１１に示す例では、似顔絵撮影でユーザを一緒に撮影した写真画像を基に生成される合成画像の見本すなわちサンプル画像Ｓ５〜Ｓ８が複数、選択可能な状態で表示される。また、複数のサンプル画像Ｓ５〜Ｓ８のうち、現在選択されているサンプル画像Ｓ５が拡大されて表示される。また、現在の選択を確定するためのＯＫボタン２０１が表示される。
【００８２】
図１１に例示するように、似顔絵撮影で一緒に撮影した写真画像を基に生成される合成画像のサンプル画像Ｓ５〜Ｓ８は、写真画像に写る複数のユーザ（モデル）の部分を画像処理して生成されるイラスト画像ＩＭ１、ＩＭ２に、合成用画像Ｂ１、Ｚ１、Ｚ２、Ｚ３が合成されて生成されるものであってもよい。
【００８３】
図１０及び図１１に示す画面例では、モデルの写真画像を画像処理して生成されるイラスト画像ＩＭ１、ＩＭ２が、合成用画像に合成されたサンプル画像Ｓ１〜Ｓ８が選択可能な状態で表示される。ユーザは、複数のサンプル画像のうち１つを選択することで、似顔絵撮影で得られる写真画像に合成する合成用画像を選択することになる。そのため、図９のＳ１２５及びＳ１２６では、似顔絵撮影で得られた写真画像に合成するための合成用画像が選択されることになる。なお、サンプル画像Ｓ１〜Ｓ８には、フィルタ処理、リップ、チーク、髪等顔のパーツに対する着色又は濃淡調整、目の大きさ調整、明るさ調整等の画像処理が施されたものとしてもよい。この場合、ＣＰＵ１０３は、選択されたサンプル画像に施された画像処理と同じ処理を、似顔絵撮影で得られる写真画像に施すことができる。このようにすると、ユーザは、Ｓ１２５又はＳ１２６でサンプル画像を選択することにより、似顔絵撮影で得られる写真画像に施す画像処理も選択することになる。このように、スペシャル撮影における合成画像のデザインを選択する処理は、写真画像に合成する合成用画像の選択、及び写真画像に施す画像処理の選択の少なくとも１つを含むことができる。
【００８４】
図９のＳ１２７で、撮影形態として「別々」に撮影することが選択された場合、ＣＰＵ１０３は、特別撮影で複数のユーザを別々に撮影した場合の合成画像のデザインの選択を受け付ける画面を表示する（ステップＳ１２８）。Ｓ１２８で表示される画面（図示略）では、例えば、特別撮影で得られた１人のユーザの写真画像を予め決められた位置に配置して、他の合成用画像と合成した合成画像のサンプル画像が複数、選択可能な状態で表示される。
【００８５】
Ｓ１２７で、撮影形態として「一緒」に撮影することが選択された場合、ＣＰＵ１０３は、特別撮影で複数のユーザを一緒に撮影した場合の合成画像のデザインの選択を受け付ける画面を表示する（ステップＳ１２９）。Ｓ１２９で表示される画面（図示略）では、例えば、特別撮影で得られた複数のユーザの写真画像を予め決められた位置に配置して、他の合成用画像と合成した合成画像のサンプル画像が複数、選択可能な状態で表示される。
【００８６】
なお、プレイ人数がグループすなわち３人以上の場合（Ｓ１２１：グループ）も、ＣＰＵ１０３は、特別撮影で複数のユーザを一緒に撮影した場合の合成画像のデザイン選択画面を表示する（ステップＳ１２９）。
【００８７】
ユーザによるスペシャル撮影の選択が終了すると、ＣＰＵ１０３は、撮影ブース２が空いているか否かを判断する（ステップＳ１１８）。撮影ブース２が空いていない場合（ステップＳ１１８：使用中）、ＣＰＵ１０３は、ユーザに対して待機を促す待機画面（図示略）を受付用ディスプレイ３１に表示させる（ステップＳ１１９）。待機画面表示中は、ＣＰＵ１０３は、撮影ブースが空きになるまで、定期的に撮影ブースが空いているかを判断する。撮影ブース２が空いている場合（ステップＳ１１８：空き）、ＣＰＵ１０３は、撮影ブース２への移動を誘導する誘導画面（図示略）を受付用ディスプレイ３１に表示させる（ステップＳ１２０）。
【００８８】
＜３．２．撮影処理＞
次に、撮影処理（ステップＳ２０）について説明する。図１２は、撮影処理の動作フロー例を示す図である。
【００８９】
ＣＰＵ１０３は、撮影処理を開始することを伝える撮影開始画面（図示略）を表示する（ステップＳ２１１）。撮影開始画面には、撮影開始ボタンが表示されており、ユーザがこの撮影開始ボタンにタッチすることにより以降の処理が開始される。
【００９０】
ＣＰＵ１０３は、まず、Ｎショット（本例では、Ｎ＝５とする）の通常撮影を行う。Ｎショットの通常撮影により、Ｎ枚の通常写真画像が生成される。Ｎショットそれぞれにおける撮影アングルは、図８のＳ１１４で選択されたアングルとなる。以下では、一例として、１〜４ショット目の撮影アングルが「アップ」であり、５ショット目の撮影アングルが「上から全身」である場合の処理を説明する。また、本例では、ショットによって、ユーザに対する案内が変化する。
【００９１】
ＣＰＵ１０３は、１ショット目の場合、アップ用の立ち位置誘導画面を正面ディスプレイ２２に表示する（ステップＳ２１３）。立ち位置誘導画面は、ユーザに対して撮影時（ショット時）の立ち位置を案内する画面である。また、ＣＰＵ１０３は、立ち位置誘導画面とは別に、レクチャー動画を正面ディスプレイ２２で再生する（ステップＳ２１４）。Ｓ２１４で再生されるレクチャー動画では、特定の人物又はキャラクタがユーザに対して撮影の品質を向上させるためのアドバイスをする。以降、１ショット目の撮影前に再生されるレクチャー動画を、第１レクチャー動画と称する。さらに、ＣＰＵ１０３は、ライブビュー表示以降のレクチャー静止画の表示設定をＯＮにする（ステップＳ２１５−１）。レクチャー静止画は、第１レクチャー動画でアドバイスをした人物又はキャラクタの静止画である。レクチャー静止画は、主に、ライブビューとともに、正面ディスプレイ２２に表示される。
【００９２】
図１３は、アップ用の立ち位置誘導画面の例を示す図である。図１３に示す例では、つま先の位置を示す画像が表示される。これを見たユーザは、自分のつま先の位置を画面で示される位置に置く。これにより、ユーザの立ち位置が誘導される。なお、立ち位置誘導画面は、つま先の位置の案内に限らず、その他のユーザの立ち位置を示す案内を含んでもよい。本実施形態では、立ち位置誘導画面は、動画ではなく、１枚の静止画と音声又は２枚以上の静止画の切り替えと音声で構成される。
【００９３】
図１４は、第１レクチャー動画の１フレームの例を示す図である。第１レクチャー動画では、特定の人物２０３が、撮影の品質を向上させるためのアドバイスをするシーンが含まれる。例えば、特定の人物２０３が、撮影の品質を向上させるためのアドバイスを話している動画と、そのアドバイスの字幕が表示される。動画は、音声及び映像で構成される。レクチャー動画には１つのアドバイスを含むことが好ましい。すなわち、伝えたい内容を限定して、レクチャー動画の再生時間を短くすることが好ましい。また、立ち位置の案内と、撮影の品質を向上させるためのアドバイスを分けて、後者を動画にすることで、撮影開始までの時間が長すぎて、間延びすることを防ぐことができる。
【００９４】
第１レクチャー動画の再生を、１ショット目の撮影の開始前にすることによって、ユーザにとって、アドバスが最も必要なタイミングで、効果的にアドバイスすることができる。例えば、第１レクチャー動画は、撮影全体を通してのアドバイスを含むことができる。これにより、撮影開始前に撮影全体に有効な情報を効果的に伝えることができる。また、第１レクチャー動画は、ユーザの移動や動作に時間を要するアドバイスを含むことができる。これにより、１ショット目の開始前のユーザの移動や動作のための時間を確保しやすい時間帯で有効な情報を伝えることができる。また、第１レクチャー動画は、ユーザがライブビューに写る自分の姿を確認しなくてもできることをアドバイスする内容を含むことができる。これにより、ライブビュー表示前に有効な情報を伝えることができる。
【００９５】
特定の人物２０３は、おしゃれな人として有名になっている人物であることが好ましい。例えば、タレント、モデル、アーティスト、スポーツ選手、社会においておしゃれに関する情報を発信している人、等を、レクチャー動画の特定の人物２０３とすることができる。このような人物がアドバイスすることにより、ユーザは、よりアドバイスを聴こうとする。レクチャー動画では、アドバイスをする者が誰なのかをユーザが特定できるようになっている。これにより、ガイダンスする者が誰なのかを特定できない態様でアドバイスをする場合に比べて、ユーザの注目度が高くなる。そのため、ユーザが、アドバイスを聞き逃したり、聴かなかったりすることを防ぐことができる。なお、レクチャー動画でアドバイスをする者は、実在の人物に限らず、架空のキャラクタであってもよい。
【００９６】
本実施形態では、第１レクチャー動画のアドバイスは、アップで撮影する場合に撮影の品質を向上させるためのアドバイスとなる。このように、レクチャー動画におけるアドバイスは、ユーザの写真写りをよくするためのアドバイスが含まれることが好ましい。具体的には、レクチャー動画におけるアドバイスは、撮影時の立ち位置、ライトの当たり方、表情、顔のパーツを画像認識されやすくための所作、撮影時の精神状態（例えば、気持ちや心構え）、又は姿勢の少なくとも１つに関するものとすることができる。なお、本実施形態のように、レクチャー動画とは別に、静止画で立ち位置を案内する場合であっても、レクチャー動画において、撮影の品質を向上するためのさらなる立ち位置に関するアドバイスが提供されてもよい。
【００９７】
また、レクチャー動画におけるアドバイスには、そのアドバイスに従った場合の効果の説明が含まれてもよい。また、レクチャー動画において、特定の人物２０３又はキャラクタは、身振り手振りを交えてアドバイスすることが好ましい。
【００９８】
図１２を参照して、第１レクチャー動画の再生を終了すると、ＣＰＵ１０３は、カメラ２１に写るリアルタイム画像を正面ディスプレイ２２に表示するライビュー表示を開始する（ステップＳ２２１）。ＣＰＵ１０３は、ライビュー表示とともに、レクチャー動画でアドバイスした特定の人物２０３の静止画を表示し、この特定の人物２０３の音声のナレーションをスピーカ４５０から出力する。また、ＣＰＵ１０３は、ショット前に、ショットまでのカウントダウンを正面ディスプレイ２２に表示する（ステップＳ２２２）。この時、カウントダウンを読み上げる特定の人物２０３の音声を、スピーカ４５０から出力してもよい。また、カウントダウンに合わせて、特定の人物２０３の静止画が切り替わってもよい。撮影（ショット）を実行する（ステップＳ２２３）。ショット後に、ＣＰＵ１０３は、撮影で得られたユーザの写真画像を正面ディスプレイ２２にプレビュー表示する（ステップＳ２２４）。プレビュー表示とともに、特定の人物２０３の静止画像が表示されてもよい。この時に、特定の人物２０３の音声によるナレーションをスピーカ４５０から出力してもよい。
【００９９】
図１５は、ライブビュー表示時に正面ディスプレイ２２に出力される画面の例を示す図である。図１５に示す例は、１回目のアップのアングルのショット（すなわち１ショット目）のシャッター前の状態の例である。本実施形態では、Ｎショット目の撮影は、Ｎ枚目の写真画像を得るための撮影である。図１５に示す例では、中央に、カメラに写る画像をリアルタイムで表示するライブ映像２５０が表示される。ライブ映像２５０には、１枚目の撮影画像に対応する背景画像２０２ｄ１と、クロマキー処理で抽出されたカメラに写るユーザの被写体の部分の撮影画像Ｇが重ねて表示される。ライブ映像２５０の下には、５枚のサムネイル画像が配置される。サムネイル画像のそれぞれには、背景画像２０２ｄ１〜２０２ｄ５と、モデルの画像Ｍ１〜Ｍ５が重ねて表示される。なお、各ショットの撮影後に、モデルの画像のＭ１〜Ｍ５を、撮影で得られた撮影画像に置き換えてもよい。この場合、撮影画像は、クロマキー処理でユーザの被写体を抽出し、トリミングされた画像とすることができる。
【０１００】
ライブ映像２５０の横に、第１レクチャー動画でアドバイスをした特定の人物２０３の静止画２５２が表示される。静止画２５２は、切り替わってもよい。静止画２５２は、ユーザが静止画と認識できる程度の時間（例えば、１秒）より長く表示される点で、動画とは区別される。ＣＰＵ１０３は、特定の人物２０３の静止画２５２の表示と同時に、特定の人物２０３の音声によるナレーションを出力してもよい。ナレーションは、撮影に関する１ポイントのアドバイスを含んでもよい。また、特定の人物２０３の音声によるカウントダウンに合わせて、静止画２５２の表示を切り替えてもよい。
【０１０１】
撮影（ショット）においてシャッターを切る時点で、ライブ映像を非表示として、ユーザに目線をカメラに向けるための案内を表示することができる。撮影（ショット）の直後は、ライブ映像２５０に代えて、ショットで得られた画像のプレビュー画像が表示される。プレビュー画像は、ショットで得られた画像のユーザの部分の被写体を抽出しトリミングした画像と、背景画像２０２ｄ１を合成した静止画がプレビュー表示される。プレビュー画像の表示とともに、特定の人物２０３の静止画を表示し、特定の人物２０３の音声でナレーションが出力されてもよい。
【０１０２】
図１６は、撮影時における静止画２５２の切り替え例を示す図である。図１６では、各段階の静止画２５２ａ〜２５２ｆの表示時のナレーションの内容及びライブビュー表示の有無を示している。図１６に示す例では、ライブビュー表示時において、１つのアドバイスの音声が出力されている間に、そのアドバイスに対応する１つの静止画（２５２ａ、２５ｓｂ又は２５２ｃ）が表示される。
【０１０３】
ライブビュー画像とともに表示される特定の人物２０３の静止画２５２と音声によって、ユーザに対して、撮影の品質を向上させるためのアドバイスを提供することができる。このライブビュー表示時の静止画２５２及び音声によるアドバイス（以下、静止画アドバイスと称する）と、第１レクチャー動画によるアドバイスとを組み合わせることで、相乗効果が得られる。静止画アドバイスは、例えば、ユーザがライブビューに写る自分の姿を確認しなければできないことをアドバイスする内容を含んでもよい。例えば、ユーザが、ライブビューに写る自分の髪型、メイク、ポーズ、表情、又は服装を確認しながら整えることを誘導するアドバイスが、静止画アドバイスに含まれてもよい。これにより、ライブビューを有効に活用したアドバイスの提供が可能になる。また、静止画アドバイスは、ユーザの移動や動作に時間を要しないピンポイント的なアドバイスであることが好ましい。ライブビュー表示開始からシャッターを切るまでの時間は短いことが多いため、ユーザの移動や動作に割ける時間は限られるためである。すなわち、静止画アドバイスの内容を、ユーザが対応に時間を要しない簡潔なものにすることが好ましい。これにより、ユーザは、静止画アドバイスに過度な注意を払うことなく、撮影に集中することができる。
【０１０４】
このように、ライビュー表示前に、第１レクチャー動画により、特定の人物による撮影の品質を向上させるためのアドバイスを提供し、ライブビュー表示時には、特定の人物の静止画及び音声により静止画アドバイスを提供することで、ユーザが、特定の人物のアドバイスにより興味を持ち、聞き逃しにくくなる。また、第１レクチャー動画のアドバイスと、静止画アドバイスの内容を、それぞれの状況に合ったものとすることができ、適切なタイミングで効率良くアドバイスを提供することができる。
【０１０５】
図１２に戻り、２ショット目では、Ｓ２１２でＮＯ、且つＳ２１６でＮＯと判断される。そのため、ＣＰＵ１０３は、２ショット目では、撮影前のレクチャー動画は再生しない。また、レクチャー静止画の表示設定はＯＦＦにされる（ステップＳ２１５−２）。すなわち、ライブビュー表示から撮影を経てプレビュー表示まで（Ｓ２２１〜Ｓ２２４）に、特定の人物２０３の静止画は表示されない。この場合、Ｓ２２１〜Ｓ２２４において、特定の人物２０３の音声によるナレーションは、出力されてもよい。３ショット目及び４ショット目も同様に、レクチャー動画の再生及び特定の人物２０３の静止画の表示はされない。
【０１０６】
５ショット目において、アングルが「上から全身」の場合、Ｓ２１２でＮＯ、Ｓ２１６でＹＥＳ、Ｓ２１７で「上から全身」と判断される。この場合、ＣＰＵ１０３は、上から全身用の立ち位置誘導画面を正面ディスプレイ２２に表示する（ステップＳ２１８）。立ち位置誘導画面は、ユーザに対して撮影時（ショット時）の、上から全身撮影に適した立ち位置を案内する画面である。また、ＣＰＵ１０３は、立ち位置誘導画面とは別に、レクチャー動画を正面ディスプレイ２２で再生する（ステップＳ２１９）。Ｓ２１９で再生されるレクチャー動画では、特定の人物又はキャラクタがユーザに対して、上から全身のアングルでの撮影の品質を向上させるためのアドバイスをする。以降、アングルが変わるショット目の撮影前に再生されるレクチャー動画を、第２レクチャー動画と称する。ＣＰＵ１０３は、ライブビュー表示以降のレクチャー静止画の表示設定をＯＦＦにする（ステップＳ２１５−２）。そのため、５ショット目のライブビュー表示から撮影を経てプレビュー表示まで（Ｓ２２１〜Ｓ２２４）に、特定の人物２０３の静止画は表示されない。この場合、ライブビュー表示の前に、ポーズ見本が表示される（ステップＳ２２０）。これにより、各ショットにおいて、特定の人物２０３の静止画２５２又は、ポーズ見本のいずれかによって、ポーズを案内することができる。なお、静止画２５２を表示せずにポーズ見本を表示する場合でも、Ｓ２２１〜Ｓ２２４において、特定の人物２０３の音声によるナレーションは、出力されてもよい。
【０１０７】
このように、図１２に示す処理では、２枚目以降の写真画像の撮影すなわち２ショット目以降において、カメラのアングルを変えて撮影する際のライブビュー表示の前に、第２レクチャー動画が再生される。第２レクチャー動画は、特定の人物２０３が、ユーザに対して、変更されたアングルにおける撮影の品質を向上させるためのアドバイスをする。第２レクチャー動画は、カメラのアングルが切り替わる度に再生されることが好ましい。第２レクチャー動画の内容は、アングルに応じて異なるものとなる。本例では、５ショット目にカメラのアングルからアップから上から全身に切り替わるが、４ショット目でアングルが切り替わってもよい。この場合、４ショット目のライブビュー表示前に、第２レクチャー動画が再生される。
【０１０８】
なお、図１２に示す例では、アングルが切り替わった場合も、レクチャー静止画の表示設定は、ＯＦＦとなり（ステップＳ２１５−２）、ライブビュー表示前に、ポーズ見本が表示される。すなわち、ライブビュー表示と同時に、特定の人物２０３の静止画２５２と音声により静止画アドバイスが提供されるのは、１ショット目のみとなる。
【０１０９】
ＣＰＵ１０３は、再生する第１レクチャー動画及び第２レクチャー動画の少なくとも１つを、プレイ毎に、予め記録された複数のレクチャー動画から選択して決定することができる。例えば、ＨＤＤ１０４又はメモリ１０５に、予め複数のレクチャー動画を記録しておくことができる。ＣＰＵ１０３は、プレイ毎に、複数のレクチャー動画のいずれかを選択して再生する。複数のレクチャー動画におけるアドバイスの内容は、互いに異なるものとすることができる。これにより、プレイ毎に異なるアドバイスを、レクチャー動画によりユーザに伝えることができる。各プレイにおいて、複数のレクチャー動画のいずれを再生するかの決定は、例えば、ランダムに決定してもよいし、所定の順番に基づいて決定してもよいし、ユーザによる入力情報又は操作に応じて決定してもよい。また、第１レクチャー動画に用いるための複数のレクチャー動画、及び第２レクチャー動画に用いるための複数のレクチャー動画をそれぞれ予め記録しておくことができる。
【０１１０】
予め決められた通常撮影のショット数Ｎ（本例では、Ｎ＝５とする）が終了すると（ステップＳ２２５でＹＥＳ）、ＣＰＵ１０３は、Ｎ回の通常撮影によって得られたＮ枚の写真画像に対し、画像処理を行い、画像処理後の撮影画像を撮影回数と対応づけてメモリ１０５に記憶する。
【０１１１】
ＣＰＵ１０３は、スペシャル撮影処理を実行する（ステップＳ２２６）。スペシャル撮影処理の詳細については後述する。スペシャル撮影処理が終了すると、ＣＰＵ１０３は、編集ブース４が空いているか否かを判断する（ステップＳ２２７）。編集ブース４が空いていない場合（Ｓ２２７で使用中）、ＣＰＵ１０３は、ユーザに対して待機を促す待機画面（図示略）を正面ディスプレイ２２に表示させる（ステップＳ２２８）。待機画面表示中は、ＣＰＵ１０３は、編集ブース４が空きになるまで、定期的に編集ブース４が空いているかを判断する。編集ブース４が空いている場合（ステップＳ２２７で空き）、ＣＰＵ１０３は、編集ブース４への移動を誘導する誘導画面（図示略）を正面ディスプレイ２２に表示させる（ステップＳ２２９）。
【０１１２】
本実施形態における写真撮影遊戯機は、カメラ及び、前記カメラの前に位置するユーザが視認可能なディスプレイの表示を制御して、ユーザを撮影し、写真画像を生成する撮影手段と、前記写真画像に対する編集を受け付ける編集画面を表示する編集手段とを備える。写真撮影遊戯機は、前記編集が施された写真画像を、シートに印刷又はデータで送信することで、前記ユーザに提供する提供手段を備えてもよい。前記撮影手段は、１枚目の写真画像の撮影のために前記カメラに写る画像を前記ディスプレイにライビュー表示する前に、特定の人物又はキャラクタがユーザに対して撮影の品質を向上させるためのアドバイスをする第１レクチャー動画を前記ディスプレイで再生する。これにより、アドバイスを適切なタイミングでユーザが聴きたくなるような態様で、ユーザに提供することができる。そのため、ユーザが、アドバイスを聞き逃したり、聴かなかったりすることが起こりにくくなる。
【０１１３】
前記撮影手段は、前記１枚目の写真画像の撮影のための前記ライブビュー表示の前に、前記第１レクチャー動画とは別に、前記ユーザの立ち位置のガイダンスを表示してもよい。ユーザの立ち位置のガイダンスとは別に、第１レクチャー動画を再生することで、第１レクチャー動画が長くなり、間延びするのを防ぐことができる。
【０１１４】
前記撮影手段は、前記１枚目の写真画像の撮影のための前記ライブビュー表示とともに、前記レクチャー動画における前記特定の人物又はキャラクタの静止画像を、前記ディスプレイに表示するともに、前記特定の人物又はキャラクタの音声でナレーションを出力してもよい。このように、レクチャー動画によるアドバイスと、同一の人物又はキャラクタの静止画像及び音声による案内を組み合わせることで、ユーザが、アドバイス及び案内を聴きたくなる度合いが増す。
【０１１５】
前記撮影手段は、２枚目以降の写真画像の撮影であって前記カメラのアングルを変えて撮影する際のライブビュー表示の前に、前記特定の人物又はキャラクタが前記ユーザに対して前記変えたアングルにおける撮影の品質を向上させるためのアドバイスをする第２レクチャー動画を再生することができる。これにより、撮影のアングルが変わる直前に、ユーザにアングルに適した撮影の動作を効果的にアドバイスすることができる。
【０１１６】
前記撮影手段は、プレイ毎に、予め記録された複数のレクチャー動画から再生すべきレクチャー動画を選択してもよい。これにより、複数回のプレイにわたって、多様なレクチャーを提供することができる。その結果、例えば、複数回プレイするユーザが、アドバイスに飽きて聴かなくなるといった事態が起こりにくくなる。
【０１１７】
＜スペシャル撮影＞
図１２のＳ２２６におけるスペシャル撮影では、ＣＰＵ１０３は、事前接客処理でユーザに選択された種類及び撮影形態で、スペシャル撮影を実行する。本実施形態では、複数のユーザで一緒に似顔絵撮影、複数のユーザそれぞれが別々に似顔絵撮影、複数のユーザで一緒に特別撮影、又は、複数のユーザそれぞれが別々に特別撮影のうち、いずれかが実行される。なお、これらのスペシャル撮影の種類及び撮影形態の選択の受け付けは、事前接客処理ではなく、撮影処理において、実行されてもよい。
【０１１８】
Ｓ２２６のスペシャル撮影において、上記の通常撮影のＳ２１１〜Ｓ２２４と同様に、ライビュー表示、カウントダウン表示、撮影（ショット）、及びプレビュー表示の処理が実行される。本例では、スペシャル撮影で、立ち位置誘導画面表示、及びレクチャー動画の再生は実行されない。しかし、スペシャル撮影でアドバイスすべき事項があれば、撮影前に、レクチャー動画を再生してもよい。
【０１１９】
図１７は、複数のユーザで一緒に似顔絵撮影をする場合に、正面ディスプレイ２２に表示される画面の例を示す図である。図１７に示す例では、カメラに写る画像をリアルタイムで表示するライブ映像２５０が表示される。ライブ映像２５０は、正方形の領域に表示される。ライブ映像２５０には、背景画像Ｂ２と、クロマキー処理で抽出されたカメラに写る複数のユーザの被写体の部分の撮影画像Ｇ６、Ｇ７が重ねて表示される。複数のユーザの被写体の撮影画像Ｇ６、Ｇ７は、１つの同じライブ映像２５０に含まれる。また、ライブ映像２５０には、前景画像Ｚ４、Ｚ５、Ｚ６が、撮影画像Ｇ６、Ｇ７の前景に重ねて表示される。前景画像Ｚ４、Ｚ５は、画像認識される人物に基づく位置に配置される素材画像である。前景画像Ｚ６は、画像認識される人物に基づく位置に関係なく、予め決められた位置に配置される素材画像である。前景画像Ｚ４、Ｚ５、Ｚ６及び背景画像Ｂ２は、図９のＳ１２６のデザイン選択処理において、ユーザによって選択された合成用画像である。
【０１２０】
ライブ映像２５０の横には、サンプル画像Ｓ６が表示される。このサンプル画像Ｓ６は、似顔絵撮影のデザインの選択を受け付ける画面（図１１参照）でユーザが選択したサンプル画像と同じものである。サンプル画像Ｓ６は、似顔絵撮影で得られた写真画像に合成される合成用画像Ｚ４〜Ｚ６、Ｂ２に、モデルのイラスト画像ＩＭ３、ＩＭ４が合成された画像である。ライブ映像２５０には、サンプル画像Ｓ６の合成用画像Ｚ４〜Ｚ６、Ｂ２と同じものが、撮影画像Ｇ６、Ｇ７に重ねて表示される。
【０１２１】
図１８は、複数のユーザで別々に似顔絵撮影をする場合に、正面ディスプレイ２２に表示される画面の例を示す図である。この場合、複数のユーザがそれぞれ別々のライブ映像２５０ａ、２０５ｂに表示される。ライブ映像２５０ａ、２０５ｂは、正方形の右領域及び左領域で構成される。ＣＰＵ１０３は、例えば、カメラ２１に写った映像のうち右領域と左領域を、それぞれ別の映像として表示することで、複数のユーザをそれぞれ別々に撮影する態様とすることができる。図１８に示す例では、各ライブ映像２５０ａ、２５０ｂの下に、サンプル画像Ｓ２が表示される。このサンプル画像Ｓ２は、似顔絵撮影のデザインの選択を受け付ける画面（図１０参照）でユーザが選択したサンプル画像と同じものである。
【０１２２】
ＣＰＵ１０３は、図１７及び図１８に示すようなライブ映像を表示した後、カウントダウンを表示して、撮影（ショット）処理を実行する。撮影においてシャッターを切る時点では、ライブ映像を非表示として、ユーザに目線をカメラに向けるための案内を表示することができる。撮影処理が終わると、ＣＰＵ１０３は、撮影で得られた撮影画像に画像処理を施して合成画像を生成する。例えば、ＣＰＵ１０３は、撮影画像のユーザの部分をイラスト風に加工して、これに合成用画像を合成したものを合成画像として生成する。ＣＰＵ１０３は、合成画像を、正面ディスプレイ２２に、プレビュー表示する。
【０１２３】
図１９は、似顔絵撮影におけるプレビュー表示の画面例を示す図である。図１９に示す例では、プレビュー画像２５３として、合成画像が表示される。合成画像は、撮影で得られた画像におけるユーザの部分に画像処理を施してイラスト風に加工したイラスト画像ＩＧ６、ＩＧ７を、背景画像Ｂ２に重ねて、さらに、合成用画像Ｚ４、Ｚ５、Ｚ６を前景に配置したものである。ユーザの部分をイラスト風に加工する処理は、例えば、ユーザの部分のエッジを線で描画した画像に加工し、線で描画されたユーザの髪又は顔の部分に色を着ける又は調整する処理とすることができる。このように、撮影された画像に写るユーザの部分をイラスト風に加工する処理は、線画処理と、着色処理又は色調整処理とを含むことができる。また、他にも、目の大きさ調整、顔パーツの濃淡調整、線画の調整の画像処理を施してもよい。
【０１２４】
ここで、ＣＰＵ１０３がユーザの画像をイラスト風に加工する画像処理は、ユーザが選択したデザイン（すなわち合成用画像）に応じて決定されてもよい。ＣＰＵ１０３は、選択された合成用画像に応じて、ユーザの画像をイラスト風に加工するための画像処理を決定することができる。例えば、ユーザがＳ１２５又はＳ２１６（図９）で選択したデザイン（合成用画像）に対応する、髪の色付与及び顔のパーツに対するメイクの効果を施す画像処理が決定されてもよい。具体的には、ユーザが選択可能な複数のデザイン（合成用画像）のそれぞれについて、髪の色付与及び顔のパーツに対するメイク効果の少なくとも１つを施す画像処理が予め対応付けられて記録されてもよい。この場合、ＣＰＵ１０３は、ユーザが選択したデザイン（合成用画像）に対応付けられた画像処理を、ユーザの画像をイラスト風に加工する画像処理に含める。一例として、ＣＰＵ１０３は、予め記録された髪又は顔のパーツの色のうち、ユーザが選択した合成用画像に対応する色を、画像処理で施す色として選択することができる。これにより、ユーザが選択したデザイン（合成用画像）に応じて、ユーザの髪の色付与又は顔のパーツに対するメイク効果を施す処理を異ならせることができる。なお、髪の色を付与する画像処理は、元の写真画像の髪の色に対してフィルタ処理等を施して色を加工する処理、又は、元の髪の色に関わりなく、画像の髪の部分に色を付与する処理のいずれもあってもよい。
【０１２５】
また、ＣＰＵ１０３は、通常撮影で撮影された通常写真画像に対する画像処理の度合いを、スペシャル撮影で撮影された写真画像に対する画像処理に反映させてもよい。例えば、ＣＰＵ１０３は、後述する画像編集処理において、ユーザが選択する目の大きさや、肌の明るさ等の設定を基に、ユーザの画像をイラスト風に加工するための画像処理を実行してもよい。このように、通常写真画像に対する画像処理と、スペシャル撮影における画像処理の度合いを同じにすることで、スペシャル撮影で得た画像におけるユーザの顔と、通常撮影で得た画像におけるユーザの顔との間で、違和感が生じにくくなる。
【０１２６】
一方、通常写真画像に対する画像処理の度合いをスペシャル撮影の写真画像に対する画像処理に反映させない場合もある。例えば、ＣＰＵ１０３は、後述する画像編集処理において、ユーザが選択するふわ度の設定とは関係なく、スペシャル撮影の写真画像に対してふわ度を調整することができる。ふわ度の調整は、後述するように、被写体（ユーザ）の周囲をぼかす処理である。似顔絵撮影では、イラスト風に加工したユーザを背景にマッチさせるため、ふわ度が合成画像のデザインに及ぼす影響が大きくなる。そのため、通常写真画像におけるふわ度の設定が、スペシャル撮影における合成画像のデザインに影響を及ぼさないために、ユーザが選択したふわ度の調整度合いをスペシャル撮影の画像処理に反映させないようにすることができる。
【０１２７】
本実施形態における写真撮影遊戯機は、ユーザを撮影し、複数の写真画像を生成する撮影手段と、前記写真画像に合成する合成用画像を前記ユーザが選択可能とする合成用画像選択手段と、前記複数の写真画像の少なくとも１枚の加工対象写真画像に対して、前記加工対象写真画像に写るユーザの部分をイラスト風に加工し、前記イラスト風に加工された前記ユーザの部分に、前記合成用画像を合成する加工手段と、を備える。これにより、ユーザが選択した合成用画像に応じてユーザの部分をイラスト風にする加工処理が可能になる。そのため、合成用画像にマッチしたイラスト風のユーザを含む合成画像が得られる。
【０１２８】
前記加工手段は、前記加工対象写真画像に対して、前記加工対象写真画像に写るユーザの部分のエッジを線で描画した画像に加工し、前記線で描画された前記ユーザの髪又は顔の部分に色を着け、前記合成用画像を合成してもよい。
【０１２９】
前記加工手段は、前記合成用画像選択手段でユーザが選択した合成用画像に対応する色を、前記線で描画された前記ユーザの髪又は顔の部分に着けてもよい。これにより、イラスト風に加工されたユーザの画像が、合成用画像にマッチしやすくなる。
【０１３０】
ここで、似顔絵撮影によって生成される合成画像に含まれるユーザには、ユーザが入力した名前が対応付けられてもよい。例えば、図８のＳ１１５において、ユーザの名前が入力される。この場合、合成画像に含まれるユーザの画像に、名前が対応付けられる。複数のユーザの名前が入力された場合、合成画像におけるユーザの画像と名前との対応関係が誤っている場合があり得る。そこで、合成画像をプレビュー表示するとともに、合成画像中の複数のユーザと名前との対応関係を修正するためのインタフェースを設けてもよい。例えば、プレビュー表示された合成画像における２人のユーザに対応して配置された名前を互いに入れ替えるためのボタンが表示されてもよい。なお、このインタフェースは、複数のユーザが一緒に撮影した場合、及び、複数のユーザが別々に撮影した場合のいずれの場合も設けることができる。また、ＣＰＵ１０３は、プレイ人数が２人、且つ、１人以上の名前入力がある、且つ、スペシャル撮影として似顔絵撮影が選択されている場合に、このインタフェースを表示するようにしてもよい。
【０１３１】
＜３．３．画像編集処理＞
次に、画像編集処理（ステップＳ３０）について説明する。図２０は、画像編集処理の動作例を示すフロー図である。
【０１３２】
ＣＰＵ１０３は、編集用ディスプレイ４１１に、画像編集開始を案内する編集開始案内画面（図示略）を表示する（ステップＳ３０１）。編集開始案内画面には、編集開始ボタンが表示されている。撮影ブース２から編集ブース４へ移動したユーザが編集開始ボタンにタッチペン４１２（図５参照）でタッチすると、以降の処理が開始される。
【０１３３】
ステップＳ１１３（図８参照）の人数選択において選択された撮影人数が「２人」であり（ステップＳ３０２で２人）、且つ、選択されたスペシャル撮影が、「似顔絵撮影」であり（ステップＳ３０３で「似顔絵撮影」）、且つ、１人以上の名前の入力がある場合（ステップＳ３０４で「ある」）、ＣＰＵ１０３は、名前の確認処理を実行する（ステップＳ３０５）。Ｓ３０５では、ＣＰＵ１０３は、名前と画像中のユーザとの対応関係を確認するための名前確認画面を表示する。
【０１３４】
図２１は、複数ユーザを一緒に撮影した場合の名前確認画面の例であり、図２２は、複数ユーザを別々に撮影した場合の名前確認画面の例である。図２１に示す画面は、２人のユーザのイラスト画像ＩＧ６、ＩＧ７を含む合成画像のプレビュー画像２５３が表示される。さらに、プレビュー画像２５３とともに、プレビュー画像２５３において右に配置されるイラスト画像ＩＧ６のユーザに対応する名前と、プレビュー画像２５３において左に配置されるイラスト画像ＩＧ７のユーザに対応する名前が表示される。さらに、２人のユーザの名前を入れ替えるための名前入れ替えボタン２０６が表示される。ユーザが、名前入れ替えボタン２０６を押すと、左右のユーザの名前の表示が入れ替わる。これに伴い、ＣＰＵ１０３は、写真撮影遊戯機１で記録されているユーザと名前の対応関係のデータを更新する。
【０１３５】
図２２に示す画面は、１人目のユーザのイラスト画像ＩＧ６を含む合成画像２５３ａと、２人目のユーザのイラスト画像ＩＧ７を含む合成画像２５３ｂが表示される。合成画像２５３ａに対応してイラスト画像ＩＧ６のユーザの名前が表示され、合成画像２５３ｂに対応してイラスト画像ＩＧ７のユーザの名前が表示される。さらに、２人のユーザの名前を入れ替えるための名前入れ替えボタン２０６が表示される。ユーザが、名前入れ替えボタン２０６を押すと、２人のユーザの名前の表示が入れ替わる。これに伴い、ＣＰＵ１０３は、写真撮影遊戯機１で記録されているユーザと名前の対応関係のデータを更新する。
【０１３６】
ＣＰＵ１０３は、ふわ度の指定を受け付ける（ステップＳ３０６）。Ｓ３０６において、ＣＰＵ１０３は、ふわ度の指定を受け付けるふわ度選択画面を編集用ディスプレイ４１１に表示する。本実施形態では、ふわ度は、画像に写るユーザ（被写体）の部分と背景の境のぼかし度合いである。ふわ度が高い程、画像に写るユーザの部分と背景の境のぼかし度合いが高くなる。ふわ度選択画面では、ユーザから、画像に写るユーザの部分と背景の境のぼかし度合いの指定を受け付ける。
【０１３７】
画像に写るユーザの部分と背景の境のぼかし度合いを調整することで、例えば、ユーザにピントが合っており周囲がぼけて見えるような効果を演出することができる。すなわち、画像に写るユーザの部分と背景の境のぼかし度合いの調整によって、ユーザを含む領域においてピントが合って見える範囲（被写界深度）を調整することができる。
【０１３８】
図２３は、ふわ度選択画面の例を示す図である。図２３に示す画面では、通常撮影で撮影されたユーザの部分の写真画像Ｇ１が背景２０２ｄ１と合成された合成画像２５４が表示される。合成画像２５４では、写真画像Ｇ１と背景２０２ｄ１との境にぼかし処理が施されている。画面には、さらに、ふわ度を選択するためのボタン２０８ａ〜２０８ｃと、選択したふわ度を確定させるＯＫボタン２０７が表示される。さらに、合成画像２５４を切り替えるためのボタン２５５ａ〜２５５ｃが表示される。
【０１３９】
図２３の例では、ふわ度の度合いの各段階に対応する複数のボタン２０８ａ〜２０８ｃのいずれかを選択することで、ふわ度の度合いを選択できるようになっている。ＣＰＵ１０３は、選択されたふわ度の度合いで、合成画像２５４における写真画像Ｇ１と背景２０２ｄ１の境にぼかし処理を施して、表示する。これにより、ユーザは、ふわ度の違いによる合成画像の雰囲気の違いを認識することができる。
【０１４０】
なお、ふわ度選択画面において表示される合成画像２５４には、ぼかし処理を施す領域に白色フィルタ処理が施されてもよい。これにより、ユーザは、ぼかし処理の度合いを変えることによる見た目の変化をより認識しやすくなる。なお、実際にユーザに提供される合成画像を生成する際には、この白色フィルタ処理は施されないようにする。
【０１４１】
なお、ふわ度の調整のためのインタフェースは、図２３に示す例に限られない。例えば、スライダ等でふわ度を連続的に指定可能な形態であってもよい。また、ふわ度の調整の処理は、画像に写るユーザの部分と背景の境のぼかし度合いの他に、他の画像処理も含んでもよい。
【０１４２】
このように、本実施形態における写真撮影遊戯機は、ユーザを撮影し、複数の写真画像を生成する撮影手段と、前記写真画像の補正の度合の指定を前記ユーザから受け付けて、前記写真画像を前記指定された度合で補正する補正手段と、前記写真画像に対する編集を受け付ける編集画面を表示する編集手段とを備える。前記補正手段は、前記写真画像に写る被写体と背景の境のぼかし度合いの指定をユーザから受け付けて、前記写真画像に写る被写体と背景の境を前記指定されたぼかし度合でぼかす処理を施す。これにより、被写体と背景の境のぼかし度合いをユーザが指定可能となる。その結果、ユーザは、写真画像から生成される合成写真の雰囲気を、簡単に調整することができる。
【０１４３】
ＣＰＵ１０３は、目の大きさの選択をユーザから受け付ける（ステップＳ３０７）。Ｓ３０７において、ＣＰＵ１０３は、ユーザから写真画像における目の大きさを調整する操作を受け付ける。ＣＰＵ１０３は、目の大きさ調整画面（図示略）を編集用ディスプレイ４１１に表示する。
【０１４４】
ＣＰＵ１０３は、肌の明るさの選択を受け付ける（ステップＳ３０８）。Ｓ３０８において、ＣＰＵ１０３は、ユーザから写真画像における肌の明るさを調整する操作を受け付ける。ＣＰＵ１０３は、肌の明るさ調整画面（図示略）を編集用ディスプレイ４１１に表示する。
【０１４５】
ＣＰＵ１０３は、通常撮影により生成された撮影画像におけるユーザと背景の境に対して、Ｓ３０６で指定された度合いで、ぼかし処理を施す。さらに、ＣＰＵ１０３は、通常撮影により生成された撮影画像におけるユーザの目の大きさを、Ｓ３０７で指定された目の大きさに調整する。さらに、ＣＰＵ１０３は、通常撮影により生成された撮影画像における肌の明るさを、Ｓ３０８で指定された肌の明るさに調整する。
【０１４６】
ＣＰＵ１０３は、画像処理後の５枚の撮影画像を、縦と横の長さの比率が所定比率となるように所定の画像サイズにトリミングする。これにより、５枚の撮影画像に対して画像処理が施され、所定の画像サイズにトリミングさされた５枚の写真画像が生成される。生成された５枚の写真画像は、撮影回数と対応づけられてメモリ１０５に記憶される。以下、１〜５回の各通常撮影で得られた写真画像を、写真画像Ｇ１〜Ｇ５と称する場合がある。
【０１４７】
（落書き処理）
ＣＰＵ１０３は、落書き編集案内画面を編集用ディスプレイ４１１に表示する（ステップＳ３０９）。落書き編集案内画面は、例えば、落書き編集の操作に関する情報を含む。ＣＰＵ１０３は、落書き編集案内画面の表示と同時に、落書き前ガイダンスの音声をスピーカ４１３から出力してもよい。
【０１４８】
ＣＰＵ１０３は、編集用ディスプレイ４１１に、ユーザごとの編集画面を表示する（ステップＳ３１０）。編集画面において、ユーザごとに、５枚の写真画像に対し、落書き操作を受け付ける。以下に、各ユーザから受け付ける落書き操作に応じて、ＣＰＵ１０３が実行する処理の例を説明する。
【０１４９】
図２４は、編集画面の一例を示す図である。図２４に示す編集画面では、中央上部領域に、編集時間の残り時間を表示する残時間表示領域及びペンツール選択領域が縦に並んで配置される。ペンツール選択領域では、ペンの種類、色及び太さを選択可能となっている。ペンツール選択領域は、ペンデモ表示領域３１１Ｌ、３１１Ｒを含む。ペンデモ表示領域３１１Ｌ、３１１Ｒには、左右それぞれのユーザが選択しているペンで線を描いた場合の例が示される。この中央部上部領域の左右両側に、それぞれ、色味加工ボタン３１３Ｌ、３１３Ｒが配置される。この色味加工ボタン３１３Ｌ、３１３Ｒの左右両側に、それぞれ、編集領域３０１Ｌ、３０１Ｒとサムネイル画像表示領域３０７Ｌ、３０７Ｒが配置される。各編集領域３０１Ｌ、３０１Ｒの下方には、編集ツールが配置される編集ツール表示領域３０２Ｌ、３０２Ｒが配置されている。編集領域３０１Ｌ、３０１Ｒは、１回のプレイで関わる複数のユーザそれぞれに対応して設けられる。本例では、編集領域及び編集ツール表示領域が、左右に並んで配置されるので、２人のユーザが同時に編集画面に対して入力を行うことができる。すなわち、左側の編集領域３０１Ｌ、編集ツール表示領域３０２Ｌは、左側のユーザによるタッチペン４１２を用いた入力を受け付け、右側の編集領域３０１Ｒ、編集ツール表示領域３０２Ｒは、右側のユーザによるタッチペン４１２を用いた入力を受け付ける。
【０１５０】
各編集領域３０１Ｌ、３０１Ｒの上方には、サムネイル画像表示領域３０７Ｌ、３０７Ｒが各々配置されている。サムネイル画像表示領域３０７Ｌ、３０７Ｒには、５枚の写真画像Ｇ１〜Ｇ５を縮小したサムネイル画像が撮影順に表示される。各編集領域３０１Ｌ、３０１Ｒには、初期状態において、写真画像Ｇ１〜Ｇ５のうち１枚の写真画像と、その写真画像に対応する背景画像とを重ねた画像が表示される。左の編集領域３０１Ｌと右の編集領域３０１Ｒには、互いに異なる写真画像が表示される。ここで、各編集領域３０１Ｌ、３０１Ｒに初期状態で表示される背景画像は、Ｓ１１６（図８）でユーザが選択した合成用画像の背景画像である。図２４に示す編集画面では、この合成用画像の背景画像については、ユーザが編集できないようになっている。
【０１５１】
図２４に示す編集画面には、編集領域３０１Ｌ、３０１Ｒの左右方向外側には、フレームをはずすボタン３０３、フィルタＯＦＦボタン３０４、消しゴムボタン３０６、もどるボタン３０８、すすむボタン３０９、はじめからボタン３１２が配置される。フレームをはずすボタン３０３をユーザが押すと、Ｓ１１６（図８）で選択した合成用画像の前景画像が、編集領域３０１Ｌ、３０１Ｒにおいて、写真画像に重ねて表示されていたのが除去される。フィルタＯＦＦボタン３０４をユーザが押すと、Ｓ１１６（図８）で選択した合成用画像に応じて、編集領域３０１Ｌ、３０１Ｒにおける写真画像に施されていたフィルタ処理が除去される。
【０１５２】
色味加工ボタン３１３Ｌ、３１３Ｒには、複数の色に対応するボタンが含まれる。ユーザが所望の色のボタンを選択して押すと、その色の色味加工（色味フィルタ）が、編集領域３０１Ｌ、３０１Ｒの画像に施される。これにより、例えば、編集領域３０１Ｌ、３０１Ｒの画像の全体的な色合いが、ユーザにより選択された色に近くなるように変化する。この色味加工は、もどるボタン３０８及びすすむボタン３０９が押されても影響を受けない。色味加工は、色味加工ボタン３１３Ｌ、３１３Ｒに含まれるＯＦＦボタンを押すことでキャンセルされる。色味加工ボタン３１３Ｌ、３１３Ｒの各色のボタンは、選択され色味加工が施されている状態のときは、その状態を示す態様（本例では、ボタンの色が変化し「ＳＥＬＥＣＴ」が付加された態様）で表示される。色味加工ボタン３１３Ｌ、３１３Ｒの各色のボタンのうち、２つ以上のボタンを同時に選択可能としてもよい。この場合、２つ以上の色のボタンが選択された状態で、選択された２つの色を重ねた色のフィルタ処理が編集領域３０１Ｌ、３０１Ｒの画像全体に施されるようにしてもよい。
【０１５３】
ユーザが、サムネイル画像表示領域３０７Ｌ、３０７Ｒにおいて、写真画像Ｇ１〜Ｇ５のいずれかのサムネイル画像をタッチペン４１２でタッチすると、ＣＰＵ１０３は、タッチペン４１２でタッチされたサムネイル画像に対応する写真画像を編集領域３０１Ｌ、３０１Ｒに表示させる。図２４の例では、左側において写真画像Ｇ１のサムネイル画像が選択され、編集領域３０１Ｌに写真画像Ｇ１が表示されている。右側において写真画像Ｇ２のサムネイル画像が選択され、編集領域３０１Ｒに写真画像Ｇ２が表示されている。ＣＰＵ１０３は、各サムネイル画像表示領域３０７Ｌ、３０７Ｒにおいて、各編集領域３０１Ｌ、３０１Ｒに表示された写真画像のサムネイル画像の表示領域に、「らくがき中」の文字を表示させてもよい。
【０１５４】
編集ツール表示領域３０２Ｌ、３０２Ｒには、編集領域３０１Ｌ、３０１Ｒに入力可能なアイテム（スタンプ）の一覧が表示される。ここで、スタンプは、写真画像における人物の前景又は背景に入力可能な素材画像の一例である。
【０１５５】
図２４に示す例では、シートタブ３０２２で選択可能な項目として、「勝手に診断」、「モテフィルター」、「プラスデザイン」、「ネーム・日付」・・・等がユーザに選択可能な状態で表示される。これらのシートタブ３０２２の項目の内容を切り替えるための大項目シートタブ３０２１が、さらに設けられる。大項目シートタブ３０２１で選択可能な項目には、「ＳＰＥＣＩＡＬ」、「ＳＴＡＭＰ」、「ＭＥＳＳＡＧＥ」、「ＯＨＳＡＲＥ」・・・等が含まれる。
【０１５６】
なお、編集ツール表示領域３０２Ｌ、３０２Ｒは、編集（落書き）操作を行う複数のユーザそれぞれに対応して設けられる。そのため、シートタブ３０２２、大項目シートタブ３０２１の切り替えは、複数のユーザそれぞれに対応する編集ツール表示領域３０２Ｌ、３０２Ｒにおいて、互いに独立して行うことができる。
【０１５７】
図２４に示す例では、左の編集ツール表示領域３０２Ｌ及び右の編集ツール表示領域３０２Ｒでは、大項目シートタブ３０２１で「ＳＰＥＣＩＡＬ」が選択され、シートタブ３０２２で「勝手に診断」が選択されている。「勝手に診断」が初めに選択された場合の編集ツール表示領域３０２Ｌ、３０２Ｒには、診断ボタン２０９が表示される。診断ボタン２０９は、プレイ毎に可変であるプレイ毎可変スタンプを、表示する契機となるボタンである。ユーザが、編集ツール表示領域３０２Ｌの診断ボタン２０９を押すと、ＣＰＵ１０３は、今回のプレイにおけるプレイ毎可変スタンプを決定する処理を開始する。ＣＰＵ１０３は、決定したプレイ毎可変スタンプを編集ツール表示領域３０２Ｌに表示する。診断ボタン２０９が押されてから、プレイ毎可変スタンプが表示されるまでのタイムログがある場合、編集ツール表示領域３０２Ｌに、処理中であることを示す待機画像（図示略）が表示される。
【０１５８】
本実施形態では、ユーザのボタン操作を契機として、プレイ毎可変スタンプが表示される。この契機となるボタンは、タブの選択等のように単に選択可能なスタンプ群の表示を切り替えるためのものではなく、ユーザの個性又は状態に関連する内容のプレイ毎可変スタンプの決定及び表示の指示をユーザから受け付けるボタンとすることができる。図２４の例では、診断ボタン２０９は、ユーザが診断を依頼するためのボタンとなっている。これにより、ユーザのプレイ毎可変スタンプに対する期待を高めることができる。また、ユーザがボタンを操作してから、プレイ毎可変スタンプが表示されるまでの間に、待機画像（例えば、「診断中」の文字を含む画像）を表示することで、さらに、ユーザの期待を高めることができる。
【０１５９】
図２５及び図２６は、編集ツール表示領域３０２Ｌにおけるプレイ毎可変スタンプの表示例を示す図である。図２５及び図２６は、編集ツール表示領域３０２Ｌのシートタブ３０２２の下の領域を示す。編集ツール表示領域３０２Ｌのシートタブ３０２２の下の領域は、複数のスタンプが選択可能な状態で表示されるパレットとなる。図２５及び図２６では、ユーザを示す情報の例として、写真画像Ｇ１〜Ｇ５から抽出されたユーザの顔を含む部分画像３２０ａ、３２０ｂ、３２０ｃが表示される。ユーザの顔を含む部分画像３２０ａ、３２０ｂ、３２０ｃのそれぞれに関連付けて複数のプレイ毎可変スタンプ群３２１ａ〜３２４ａ、３２１ｂ〜３２４ｂ、３２１ｃ、３２２ｃ、３２４ｃ、３２６ｃ、３２７ｃ及びスタンプ３２５ａ、３２５ｂ、３２５ｃが表示される。また、編集ツール表示領域３０２Ｌには、名前の再編集、及びスタンプの配置レイヤ、回転、サイズ等を制御するためのボタン群３３０が表示される。
【０１６０】
なお、図２５及び図２６は、左右の編集ツール表示領域３０２Ｌ及び３０２Ｒの両方にそれぞれ表示されてもよい。例えば、左右の編集ツール表示領域３０２Ｌ及び３０２Ｒの両方において、診断ボタン２０９が押された場合、左右の編集ツール表示領域３０２Ｌ及び３０２Ｒの両方に、図２５又は図２６に示すプレイ毎可変スタンプが表示される。
【０１６１】
図２５は、プレイ人数が２人の場合の表示例である。この場合、２人のユーザのうち第１ユーザの顔の部分画像３２０ａに関連付けられて、第１ユーザのプレイ毎可変スタンプ群３２１ａ〜３２４ａ及びスタンプ３２５ａが表示される。さらに、２人のユーザのうち第２ユーザの顔の部分画像３２０ｂに関連付けられて、第２ユーザのプレイ毎可変スタンプ群３２１ｂ〜３２４ｂ及びスタンプ３２５ｂが表示される。
【０１６２】
図２５に示す例では、各ユーザの部分画像３２０ａ、３２０ｂと、これに対応するプレイ毎可変スタンプ群３２１ａ〜３２４ａ、３２１ｂ〜３２４ｂとは、相対的な位置関係によって、関連付けられる。すなわち、部分画像３２０ａとプレイ毎可変スタンプ群３２１ａ〜３２４ａの相対位置関係と、部分画像３２０ｂとプレイ毎可変スタンプ群３２１ｂ〜３２４ｂの相対位置関係は、同じであり、一定である。これにより、ユーザは、プレイ毎可変スタンプ群３２１ａ〜３２４ａが、第１ユーザに関連するものであり、プレイ毎可変スタンプ群３２１ｂ〜３２４ｂが、第２ユーザに関連するものであることを自然に認識できる。
【０１６３】
ユーザは、図２５又は図２６に示すプレイ毎可変スタンプ群から任意のスタンプを選択し、編集領域３０１Ｌの任意の位置に配置することができる。編集画面において編集領域３０１Ｌに表示される写真画像が切り替えられた場合も、図２５又は図２６に示す編集ツール表示領域３０２Ｌの表示は変化しない。切り替えられた後の写真画像に対して、同様に、プレイ毎可変スタンプを配置することができる。
【０１６４】
図２５に示す例では、プレイ毎可変スタンプ群３２１ａ〜３２４ａ、３２１ｂ〜３２４ｂは、ユーザの個性又は状態に関する内容を示す文字、絵図、又は模様を含むものとなっている。そのため、第１ユーザのプレイ毎可変スタンプ群３２１ａ〜３２４ａは、第１ユーザのプロフィールを示すように見える。同様に、第２ユーザのプレイ毎可変スタンプ群３２１ｂ〜３２４ｂは、第２ユーザのプロフィールを示すように見える。これにより、ユーザは、プレイ毎可変スタンプ群３２１ａ〜３２４ａ、３２１ｂ〜３２４ｂが、たとえ、ユーザの情報に関係なく無作為に決定されたものであったとしても、その内容に親しみを感じることができる。なお、スタンプ３２５ａ、３２５ｂは、プレイ毎に変化しないスタンプである。
【０１６５】
図２５に示す例では、１人のユーザが選択するためのスタンプを表示する編集ツール表示領域３０２Ｌに、複数のユーザを示す情報が、部分画像３２０ａ、３２０ｂとして表示される。そして、複数のユーザの部分画像３２０ａ、３２０ｂそれぞれに関連付けて、プレイ毎可変スタンプ３２１ａ〜３２４ａ、３２１ｂ〜３２４ｂが表示される。これにより、編集ツール表示領域３０２Ｌを用いてスタンプの配置操作を行う１人のユーザは、編集ツール表示領域３０２Ｌにおいて、複数のユーザに関連付けられたプレイ毎可変スタンプから任意のものを選択して、編集領域３０１Ｌに配置することができる。
【０１６６】
プレイ毎可変スタンプ３２３ａ、３２３ｂ、３２４ａ、３２４ｂには、ユーザの名前が含まれる。プレイ毎可変スタンプ３２３ａ、３２３ｂ、３２４ａ、３２４ｂには、ユーザの個性や状態を示す文字又は図形に、ユーザの名前が付加される。すなわち、プレイ毎可変スタンプ３２３ａ、３２３ｂ、３２４ａ、３２４ｂにおけるユーザの名前は付加的なものである。このように、ユーザを示す情報に関連付けて表示されるプレイ毎可変スタンプ群には、ユーザの名前を含むスタンプと、ユーザの名前を含まないスタンプが含まれてもよい。なお、プレイ毎可変スタンプ群は、ユーザの名前を含まないスタンプで構成されてもよい。
【０１６７】
ユーザの名前は、例えば、図８のＳ１１５で入力される。また、編集ツール表示領域３０２Ｌのボタン群３３０には、名前の再編集ボタンが含まれる。名前の再編集ボタンが押されると、名前編集パレットが表示され、ユーザは、名前を再入力することができる。名前が再編集されると、名前を含むプレイ毎可変スタンプ３２３ａ、３２３ｂ、３２４ａ、３２４ｂは、編集後の名前を含むものに変更される。なお、編集画面において、名前の再編集ボタンの代わり又は、名前の再編集ボタンに加えて、名前入れ替えボタンが設けられてもよい。名前入れ替えボタンが押されると、２人のユーザの名前が入れ替わる。
【０１６８】
図２６は、プレイ人数が３人以上すなわちグループの場合の表示例である。この場合、グループに含まれる複数のユーザの顔を含む部分画像３２０ｃに関連付けられて、そのグループのプレイ毎可変スタンプ群３２１ｃ、３２２ｃ、３２４ｃ、３２６ｃ、３２７ｃが表示される。部分画像３２０ｃと、これに対応するプレイ毎可変スタンプ群３２１ｃ、３２２ｃ、３２４ｃ、３２６ｃ、３２７ｃとは、相対的な位置関係によって、関連付けられる。すなわち、部分画像３２０ｃとプレイ毎可変スタンプ群３２１ｃ、３２２ｃ、３２４ｃ、３２６ｃ、３２７ｃとは同じパレットに配置され、一定の相対位置関係を保っている。これにより、ユーザは、プレイ毎可変スタンプ群３２１ｃ、３２２ｃ、３２４ｃ、３２６ｃ、３２７ｃが、ユーザのグループに関連するものであることを自然に認識できる。
【０１６９】
図２６に示す例では、プレイ毎可変スタンプ群３２１ｃ、３２２ｃ、３２４ｃ、３２６ｃ、３２７ｃは、ユーザのグループの個性又は状態に関する内容を示す文字、絵図、又は模様を含むものとなっている。そのため、プレイ毎可変スタンプ群３２１ｃ、３２２ｃ、３２４ｃ、３２６ｃ、３２７ｃは、ユーザのグループみんなのプロフィールを示すように見える。これにより、ユーザは、プレイ毎可変スタンプ群３２１ｃ、３２２ｃ、３２４ｃ、３２６ｃ、３２７ｃが、たとえ、ユーザの情報に関係なく無作為に決定されたものであったとしても、その内容に親しみを感じることができる。なお、スタンプ３２５ｃは、プレイ毎に変化しないスタンプである。このように、プレイ毎可変スタンプとプレイ毎に変化しないスタンプの両方を含むスタンプ群を、ユーザを示す情報に関連付けて表示してもよい。
【０１７０】
図２５及び図２６に示す部分画像３２０ａ、３２０ｂ、３２０ｃは、編集領域３０１Ｌに表示された編集対象の写真画像が切り替わっても、これに伴って変化しない。すなわち、ユーザを示す情報は、編集対象の写真画像の切り替わりに伴って変化しない。そのため、部分画像３２０ａ、３２０ｂ、３２０ｃは、編集対象として編集領域３０１Ｌに表示されている写真画像から抽出したものとは限らない。例えば、ユーザの顔を含む部分画像３２０ａ、３２０ｂ、３２０ｃを、複数の写真画像Ｇ１〜Ｇ５のうち１枚から抽出する場合、その１枚の写真画像において顔認識に失敗したユーザは、部分画像に顔が写らないことになる。この場合、編集領域３０１Ｌの写真画像にはユーザの顔が写っているのに、編集ツール表示領域３０２Ｌにユーザを示す情報として部分画像にユーザの顔が表示されないという事態が起こり得る。この事態を防ぐためには、複数の写真画像Ｇ１〜Ｇ５を部分画像の抽出対象とすることが好ましい。以下に、その抽出処理の例を説明する。
【０１７１】
１つの例として、複数の写真画像Ｇ１〜Ｇ５のうち写真画像において認識された顔の数が最も多い画像から、顔を含む部分画像を抽出する処理が挙げられる。この場合、ＣＰＵ１０３は、複数の写真画像Ｇ１〜Ｇ５の全ての画像の顔認識数を確認し、より顔認識数の多い写真画像を選択する。選択した写真画像から、顔部分を含む部分画像を抽出する。
【０１７２】
他の例として、複数の写真画像Ｇ１〜Ｇ５のうち写真画像において認識された顔の数が閾値より多い画像から、顔を含む部分画像を抽出する処理が挙げられる。この場合、ＣＰＵ１０３は、複数の写真画像Ｇ１〜Ｇ５の画像の顔認識数を順に確認し、顔認識数が閾値より多い写真画像が見つかるとそれを選択する。選択した写真画像から、顔部分を含む部分画像を抽出する。閾値は、例えば、プレイ人数に応じて変えることができる。例えば、プレイ人数が２人の場合は、閾値を１として、顔認識数が１より多い２である写真画像が選択される。
【０１７３】
複数の写真画像Ｇ１〜Ｇ５において認識された顔の数が、プレイ毎可変スタンプに関連付けて表示するユーザの数よりも少ない場合も起こり得る。その場合、部分画像として表示するための顔画像が足りなくなる。顔画像が足りない分の部分画像には、代替え画像を表示することができる。代替画像は、例えば、人の顔部分を含むシルエットの画像とすることができる。
【０１７４】
なお、顔認識数を確認する写真画像は、複数の写真画像Ｇ１〜Ｇ５の全てではなく、アップ画像Ｇ１〜Ｇ３のみ等、所定の条件を満たす複数の写真画像としてもよい。また、写真画像の顔認識数を確認する順番は、かならずしも撮影順と同じでなくてもよい。
【０１７５】
次に、図２７を参照して、プレイ毎可変スタンプの決定処理の例について説明する。ＣＰＵ１０３は、各プレイにおいて、予め写真撮影遊戯機１に記録された複数のプレイ毎可変スタンプからプレイ毎可変スタンプを抽出（選択）することにより、そのプレイにおけるプレイ毎可変スタンプを決定することができる。予め記録される複数のプレイ毎可変スタンプは、複数のグループに分類しておくことができる。この場合、複数のプレイ毎可変スタンプが、複数のグループそれぞれに紐付けて予め記録される。１つのグループには、複数のプレイ毎可変スタンプが含まれることになる。グループは、例えば、プレイ毎可変スタンプの内容に応じて分類されることが好ましい。例えば、同じカテゴリに属するプレイ毎可変スタンプ群を同じグループとすることができる。ＣＰＵ１０３は、各グループのプレイ毎可変スタンプから、本プレイにおいて表示するプレイ毎可変スタンプを選択する。
【０１７６】
図２７に示す例では、ユーザの顔を含む部分画像３２０ａに対して複数のプレイ毎可変スタンプ３２１ａ〜３２４ａ及びスタンプ３２５ａが関連付けて表示される。複数のプレイ毎可変スタンプ３２１ａ〜３２４ａの各々は、それぞれのグループに属するプレイ毎可変スタンプ群から選択される。
【０１７７】
プレイ毎可変スタンプ３２１ａは、女子の行動や挙動の傾向を示す「○○系女子」の文字で構成される複数のプレイ毎スタンプ群の中から選択される。
【０１７８】
プレイ毎可変スタンプ３２２ａは、精神の内面又はその内面に起因して現れる行動や性質を示す文字で構成される複数のプレイ毎スタンプ群の中から選択される。プレイ毎可変スタンプ３２３ａは、頭の中で意識的又は無意識に考えている事の占める割合を名前付の図で示す複数のプレイ毎スタンプ群の中から選択される。プレイ毎可変スタンプ３２４ａは、その人を一言で表す言葉を名前付のレッテルで表現した複数のプレイ毎スタンプ群の中から選択される。
【０１７９】
このように、外観及び観念において関連のある複数のプレイ毎スタンプを１つのグループとして、各グループからプレイ毎スタンプが選ばれる。これにより、デザイン及び内容の両面でバランスの取れた複数のプレイ毎スタンプを、ユーザを示す情報に関連付けて表示することができる。
【０１８０】
ＣＰＵ１０３は、例えば、複数のプレイ毎スタンプ群から、所定の順番に基づいて選択してもよいし、ランダムに選択してもよい。或いは、ユーザが入力した名前等の情報によって、各グループにおける各プレイ毎可変スタンプの選択される確率が変わるようにしてもよい。
【０１８１】
上記例では、プレイ毎可変スタンプを決定して表示する機能を、「勝手に診断」と称しているが、これは一例であり、機能の名称は、ゲームの世界観やコンセプトに応じて適宜設定可能である。また、上記例では、ボタンが押された事を契機として、プレイ毎可変スタンプ決定処理を開始しているが、プレイ毎可変スタンプ決定処理の開始は、プレイ中の任意の時にできる。また、ユーザを示す情報は、ユーザの顔を含む画像の他、例えば、ユーザの名前その他ユーザに関連する情報としてもよい。また、ユーザを示す情報とプレイ毎可変スタンプとの関連付けの形態は、上記の相対位置によるものに限られない。
【０１８２】
編集ツール表示領域３０２Ｌにおいて、ユーザは、スタンプをペンでタッチし選択状態にした後に、編集領域３０１Ｌ（図２４参照）をペンでタッチすると、タッチした位置に選択したスタンプが配置される。スタンプは、編集領域３０１Ｌに表示されている写真画像Ｇ１の前景に表示される。
【０１８３】
なお、上記例では、左の編集ツール表示領域３０２Ｌについて説明したが、右の編集ツール表示領域３０２Ｒも同様に構成することができる。本実施形態では、各ユーザ又はグループに対応して選択されるプレイ毎可変スタンプは、左の編集ツール表示領域３０２Ｌと右の編集ツール表示領域３０２Ｒとで同じである。変形例として、左の編集ツール表示領域３０２Ｌには、左の編集ツール表示領域３０２Ｌを操作するユーザに対応するプレイ毎可変スタンプ群を表示し、右の編集ツール表示領域３０２Ｒには、右の編集ツール表示領域３０２Ｒを操作するユーザに対応するプレイ毎可変スタンプ群を表示する形態も可能である。この場合、ユーザとプレイ毎可変スタンプ群との関係が明確なので、プレイ毎可変スタンプとともに表示されるユーザの顔を含む部分画像の表示を省略してもよい。
【０１８４】
図２４に示す編集画面に対する操作により、ユーザは、素材画像を、写真画像の背景又は前景に配置することができる。ステップＳ３１０の落書き編集は、所定の編集時間が経過するか、又は、ユーザが編集終了の操作した場合に、終了する。ＣＰＵ１０３は、落書き処理が終了すると、ユーザごとに、５枚の写真画像のそれぞれに対して選択された編集用画像を、その写真画像と対応づけてメモリ１０５に記憶する。また、Ｓ１１６でユーザが選択した合成用画像の５枚の背景画像が、各写真画像に対応付けてメモリ１０５に記憶される。
【０１８５】
合成画像を生成する工程で、ＣＰＵ１０３は、ユーザが合成用画像選択画面で選択した合成用画像の５枚の背景画像を、撮影により生成された写真画像Ｇ１〜Ｇ５の背景に、それぞれ重ねて合成し、さらに、Ｓ３１０の落書き編集でユーザの操作により追加された素材画像を、写真画像Ｇ１〜Ｇ５の前景又は背景に合成する。これにより、写真画像Ｇ１〜Ｇ５を基にした合成画像が生成される。すなわち、ＣＰＵ１０３は、合成画像生成手段として機能する。合成画像生成手段は、ユーザに選択された合成用画像を用いて、かつ、編集手段で受け付けたユーザの編集に基づいて、複数の写真画像に合成用画像を合成して複数の合成画像を生成する。
【０１８６】
図２０に戻り、落書き編集（ステップＳ３１０）が終了すると、ＣＰＵ１０３は、シートレイアウトの選択案内画面を編集用ディスプレイ４１１に表示する（ステップＳ３１１）。そして、ＣＰＵ１０３は、Ｓ１１３（図８）でユーザが選択したプレイ人数に対応するシートレイアウト選択画面を、編集用ディスプレイ４１１に表示し、ユーザによるシートレイアウトの選択を受け付ける（ステップＳ３１２）。
【０１８７】
図２８は、２人プレイ用のシートレイアウト選択画面の一例を示す図である。図２８に示す例では、複数の２人プレイ用のシートレイアウト５１１ａ〜５１１ｄが選択可能な状態で表示される。図２８は、左のユーザがシートレイアウト５１１ａを選択、右のユーザがシートレイアウト５１１ｃを選択した状態を示している。また、シートレイアウト選択画面には、選択されたシートレイアウトを表示するプレビュー領域５１２が含まれる。選択が確定した旨を入力するためのＯＫボタン５１５も、シートレイアウト選択画面に表示される。ここで、シートレイアウトは、シートにおける複数の合成画像の配置の仕方であるレイアウトパターンと、合成画像が配置される領域以外の部分のシートのデザインである、シートデザインとの組み合わせである。シートは、プリンタ６０（印刷手段の一例）により印刷される。
【０１８８】
図２８において、シートレイアウト５１１ａ〜５１１ｄにおいて白い四角形には合成画像が配置されるが、合成画像の図示は省略している。シートレイアウト５１１ｃのクエスチョンマークが描かれた四角形の領域５１３には、合成画像は配置されない。この領域５１３に印刷される内容は、ここでは表示されず、ユーザは、印刷して初めてわかることになる。領域５１３には、クエスチョンマーク等、印刷するまで内容がわからないことを示す情報が表示される。
【０１８９】
このように、印刷するまで内容がわからない領域を含むシートレイアウトを選択可能とすることで、プレイの楽しみの幅を広げることができる。この領域５１３に印刷される内容としては、例えば、おみくじ、占い、運勢、恋の行方、出会うべき異性の情報、性格診断結果、深層心理の推定結果、今日の言葉、抽選等の当落の結果、有名人の写真、クーポン、又は特典情報、等が挙げられる。
【０１９０】
ＣＰＵ１０３は、領域５１３に印刷する画像を、予め記録された複数の画像から選択することで決定することができる。領域５１３に印刷する画像は、ランダム又は所定の順番に基づいて複数の候補から選択されてもよいし、プレイ等のユーザからの入力情報又は操作に応じて決定されてもよい。
【０１９１】
領域５１３は、シートの端に配置されてもよい。これにより、シートにおいて、領域５１３の部分と、合成画像が印刷された領域とを切り離しやすくなる。この観点からは、領域５１３と合成画像が印刷される領域とを、直線で切り離せるように、領域５１３を配置することが好ましい。
【０１９２】
ユーザが、ＯＫボタン５１５を押すと、その時に選択状態になっていたシートレイアウトの選択が決定する。なお、図２８に示す例では、ＣＰＵ１０３は、シートレイアウトの選択を、ユーザごとに、受け付ける。
【０１９３】
図２０を再び参照し、ＣＰＵ１０３は、ステップＳ３１２でユーザに選択されたシートレイアウトと、メモリ１０５に記憶された画像配置情報とに基づいて、シール紙に印刷するシート画像を生成する。具体的には、ＣＰＵ１０３は、一のユーザについて選択されたシートレイアウトと画像配置情報とに基づいて、選択されたシートレイアウトにおける各写真画像領域に、当該写真画像領域に対応する写真画像に基づく合成画像を配置する。さらに、ＣＰＵ１０３は、選択されたシートレイアウトのシートデザインを合成する。そして、合成した画像に対して、シール紙の印刷に適した印刷用の解像度及び色味の調整等を行って一のシート画像を生成する。
【０１９４】
ＣＰＵ１０３は、編集用ディスプレイ４１１に、画像送信案内画面を表示する（ステップＳ３１３）。画像送信案内画面では、ユーザの携帯端末ＣＬに、画像を送信することを案内する情報が表示される。ＣＰＵ１０３は、さらに、ユーザごとに、ユーザの携帯端末ＣＬに送信するための画像を選択する画像選択画面（図示略）を編集用ディスプレイ４１１に表示する（ステップＳ３１４）。その後、ユーザが選択した送信対象画像を取得するためのＵＲＬを記載した通知メールをユーザに送信するため、ユーザにメールアドレスの入力を促す入力画面（図示略）を編集用ディスプレイ４１１に表示する（ステップＳ３１５）。
【０１９５】
具体的には、ＣＰＵ１０３は、まず、画像選択画面を表示して、１人目のユーザによる送信用画像の選択を受け付けた後、そのユーザのメールアドレスの入力を受け付ける。１人目のユーザのメールアドレスの入力を受け付けた後、ＣＰＵ１０３は、画像選択画面を表示して２人目のユーザの送信対象画像の選択を受け付け、続いて、２人目のユーザのメールアドレスの入力を受け付ける。
【０１９６】
ＣＰＵ１０３は、各ユーザのメールアドレスが入力されると、ユーザごとのメールアドレスと、ユーザごとに選択された送信対象画像の情報と、５枚の写真画像と、Ｓ１１６で選択された合成用画像及びＳ３１０の落書き編集で選択された編集用画像とを合成した合成写真画像データとをサーバＳＶに送信する。さらに、ＣＰＵ１０３は、ステップＳ３１２で選択されたシートレイアウトを基に生成されたシート画像の画像データをサーバＳＶに送信する。シート画像の画像データを送信する際、シート画像を所定の分割数で分割して送信してもよい。
【０１９７】
サーバＳＶは、写真撮影遊戯機１から送信された各ユーザのメールアドレスを宛先として、写真撮影遊戯機１から送信された画像データのうち、各ユーザの送信対象画像の画像データと、シート画像の画像データと、動画コンテンツとを取得するためのＵＲＬが記載された通知メールを送信する。なお、取得できるシート画像の画像データと、動画コンテンツは、ユーザの会員種別によって異ならせることができる。例えば、動画コンテンツは、有料会員のみが取得できるようにすることができる。
【０１９８】
シート画像の印刷処理が可能（ステップＳ３１６でＹＥＳ）になるまで、編集用ディスプレイ４１１に、待機画面が表示される（ステップＳ３１７）。印刷処理が可能になると、ユーザを写真シール排出口５２に誘導する誘導画面が表示される（ステップＳ３１８）。シート画像の印刷が終了すると、ＣＰＵ１０３は、シート画像が印刷されたシール紙（写真シール）を写真シール排出口５２から排出する。ここまでが、１回の利用における一連のプレイすなわち１回のプレイである。
【符号の説明】
【０１９９】
１      写真撮影遊戯機
２１    カメラ
１０３  ＣＰＵ
１０４  ＨＤＤ
１０５  メモリ
【図１】
2019074811.tif 000003
【図２】
2019074811.tif 000004
【図３】
2019074811.tif 000005
【図４Ａ】
2019074811.tif 000006
【図４Ｂ】
2019074811.tif 000007
【図５】
2019074811.tif 000008
【図６】
2019074811.tif 000009
【図７】
2019074811.tif 000010
【図８】
2019074811.tif 000011
【図９】
2019074811.tif 000012
【図１０】
2019074811.tif 000013
【図１１】
2019074811.tif 000014
【図１２】
2019074811.tif 000015
【図１３】
2019074811.tif 000016
【図１４】
2019074811.tif 000017
【図１５】
2019074811.tif 000018
【図１６】
2019074811.tif 000019
【図１７】
2019074811.tif 000020
【図１８】
2019074811.tif 000021
【図１９】
2019074811.tif 000022
【図２０】
2019074811.tif 000023
【図２１】
2019074811.tif 000024
【図２２】
2019074811.tif 000025
【図２３】
2019074811.tif 000026
【図２４】
2019074811.tif 000027
【図２５】
2019074811.tif 000028
【図２６】
2019074811.tif 000029
【図２７】
2019074811.tif 000030
【図２８】
2019074811.tif 000031